(57)【特許請求の範囲】
【請求項１】
無線機器により遂行されるダウンリンク制御チャンネル受信方法であって、
ダウンリンク制御チャンネルをモニタリングするステップを含み、
カバレッジ拡張のため、前記ダウンリンク制御チャンネルは、複数のサブフレーム上で反復され、
前記カバレッジ拡張のため、セル特定参照信号（ＣＲＳ）が送信される１つまたは複数のリソースエレメント（ＲＥ）は、前記ダウンリンク制御チャンネルのために使用されないと決定され、
前記ダウンリンク制御チャンネルは、複数のナローバンドのうちの前記無線機器が動作するナローバンド（ｎａｒｒｏｗｂａｎｄ）内で共通サーチスペース（ＣＳＳ）においてモニタリングされる、ダウンリンク制御チャンネル受信方法。
【請求項２】
前記ダウンリンク制御チャンネルを前記ＣＳＳにおいて分散転送によってモニタリングするステップを更に含む、請求項１に記載のダウンリンク制御チャンネル受信方法。
【請求項３】
前記ダウンリンク制御チャンネルを受信するための前記ナローバンドは、最大で６つの物理リソースブロック（ＰＲＢ）を含む、請求項１に記載のダウンリンク制御チャンネル受信方法。
【請求項４】
同期信号が転送される１つ以上のリソースエレメント（ＲＥ）は、前記ダウンリンク制御チャンネルに用いられないことを決定するステップを更に含む、請求項１に記載のダウンリンク制御チャンネル受信方法。
【請求項５】
前記ダウンリンク制御チャンネルは物理ダウンリンク共有チャンネル（ＰＤＳＣＨ）のスケジューリングを含み、
前記ＰＤＳＣＨの前記スケジューリングは、前記ＰＤＳＣＨが受信されるサブフレームが前記ダウンリンク制御チャンネルが受信される前記複数のサブフレームより遅れるように、交差サブフレームスケジューリングに対応する、請求項１に記載のダウンリンク制御チャンネル受信方法。
【請求項６】
前記ダウンリンク制御チャンネルは、拡張物理ダウンリンク制御チャンネル（ＥＰＤＣＣＨ）に類似する方式を有する、請求項１に記載のダウンリンク制御チャンネル受信方法。
【請求項７】
ダウンリンク制御チャンネルを受信する無線端末であって、
トランシーバと、
前記トランシーバを制御するように構成され、且つ、ダウンリンク制御チャンネルをモニタリングするように構成されたプロセッサと、を含み、
カバレッジ拡張のため、前記ダウンリンク制御チャンネルは、複数のサブフレーム上で反復され、
前記カバレッジ拡張のため、セル特定参照信号（ＣＲＳ）が送信される１つまたは複数のリソースエレメント（ＲＥ）は、前記ダウンリンク制御チャンネルのために使用されないと決定され、
前記ダウンリンク制御チャンネルは、複数のナローバンドのうちの前記無線端末が動作するナローバンド（ｎａｒｒｏｗｂａｎｄ）内で共通サーチスペース（ＣＳＳ）においてモニタリングされる、無線端末。
【請求項８】
前記プロセッサは、
前記ダウンリンク制御チャンネルを前記ＣＳＳにおいて分散転送によってモニタリングするように更に構成された、請求項７に記載の無線端末。
【請求項９】
前記ダウンリンク制御チャンネルを受信するための前記ナローバンドは、最大で６つの物理リソースブロック（ＰＲＢ）を含む、請求項７に記載の無線端末。
【請求項１０】
前記プロセッサは、
同期信号が転送される１つ以上のリソースエレメント（ＲＥ）は、前記ダウンリンク制御チャンネルに用いられないことを決定するように更に構成された、請求項７に記載の無線端末。
【請求項１１】
前記ダウンリンク制御チャンネルは物理ダウンリンク共有チャンネル（ＰＤＳＣＨ）のスケジューリングを含み、
前記ＰＤＳＣＨの前記スケジューリングは、前記ＰＤＳＣＨが受信されるサブフレームが前記ダウンリンク制御チャンネルが受信される前記複数のサブフレームより遅れるように、交差サブフレームスケジューリングに対応する、請求項７に記載の無線端末。
【請求項１２】
前記ダウンリンク制御チャンネルは、拡張物理ダウンリンク制御チャンネル（ＥＰＤＣＣＨ）に類似する方式を有する、請求項７に記載の無線端末。
【発明の詳細な説明】
【技術分野】
【０００１】
本発明は、移動通信に関する。
【背景技術】
【０００２】
ＵＭＴＳ（Universal Mobile Telecommunications System）の向上である３ＧＰＰ（3rd Generation Partnership Project）ＬＴＥ（long term evolution）は、３ＧＰＰリリース（release）８で紹介されている。３ＧＰＰ ＬＴＥは、ダウンリンクでＯＦＤＭＡ（orthogonal frequency division multiple access）を使用し、アップリンクでＳＣ−ＦＤＭＡ（Single Carrier-frequency division multiple access）を使用する。最大４個のアンテナを有するＭＩＭＯ（multiple input multiple output）を採用する。最近、３ＧＰＰ ＬＴＥの進化である３ＧＰＰ ＬＴＥ−Ａ（LTE-Advanced）に対する議論が進行中である。
【０００３】
３ＧＰＰ  ＴＳ  ３６．２１１  Ｖ１０．４．０（２０１１−１２）“Evolved Universal Terrestrial Radio Access (E-UTRA); Physical Channels and Modulation (Release 10)”に開示されているように、ＬＴＥにおいて、物理チャネルは、ダウンリンクチャネルであるＰＤＳＣＨ（Physical Downlink Shared Channel）とＰＤＣＣＨ（Physical Downlink Control Channel）、アップリンクチャネルであるＰＵＳＣＨ（Physical Uplink Shared Channel）とＰＵＣＣＨ（Physical Uplink Control Channel）に分けられる。
【０００４】
一方、最近には人との相互作用（human interaction）無しで、即ち人の介入無しで装置間または装置とサーバとの間に生じる通信、即ちＭＴＣ（Machine Type Communication）に対する研究が活発に行われている。前記ＭＴＣは、人間が使用する端末でない機械装置が既存の無線通信ネットワークを用いて通信する概念をいう。
【０００５】
前記ＭＴＣの特性は一般的な端末と異なるので、ＭＴＣ通信に最適化されたサービスは人対人（human to human）通信に最適化されたサービスと異なることがある。ＭＴＣ通信は、現在の移動ネットワーク通信サービス（Mobile Network Communication Service）と比較して、互いに異なるマーケットシナリオ（market scenario）、データ通信、少ない費用と努力、潜在的に非常に多い数のＭＴＣ機器、広いサービス領域、及びＭＴＣ機器当たり低いトラフィック（traffic）などに特徴できる。
【０００６】
ＭＴＣ機器の単価を低めるための一つ方案に、セルのシステム帯域幅に関わらず、前記ＭＴＣ機器は縮小された帯域のみを使用することができる。
【０００７】
しかしながら、既存のダウンリンク制御チャンネルは、このように縮小された帯域上で運用できないという問題点がある。
【発明の概要】
【発明が解決しようとする課題】
【０００８】
したがって、本明細書の開示は、前述した問題点を解決することを目的とする。
【課題を解決するための手段】
【０００９】
前述した目的を達成するために、本明細書の開示はＭＴＣが動作する帯域内で送信できるダウンリンク制御チャンネルを新しく提案する。
【００１０】
具体的に、前述した目的を達成するために、本明細書の一開示は、セルのシステム帯域のうち、一部帯域のみで動作するように設定されたＭＴＣ（Machine type communication）機器でダウンリンク制御チャンネルを受信する方法を提供する。前記方法は、前記一部帯域内のみで受信可能なダウンリンク制御チャンネルに適用されるプリコーディングマトリックスのインデックス（ＰＭＩ）を決定するステップと；前記セルから前記ダウンリンク制御チャンネルをサブフレームのデータ領域上の前記一部帯域で受信するステップと；前記セルから受信されたダウンリンク制御チャンネルを前記決定されたＰＭＩに基づいて復号するステップを含むことができる。
【００１１】
前記一部帯域は、前記システム帯域のうち、６個のＰＲＢ（Physical Resource block）に該当することができる。
【００１２】
前記方法は、前記ダウンリンク制御チャンネルが一部ＰＲＢのみにマッピングされるローカル転送の場合、前記ＰＭＩに対する情報を受信するステップをさらに含むことができる。この際、前記ＰＭＩの決定は前記受信されたＰＭＩに対する情報に基づいて遂行できる。
【００１３】
前記ダウンリンク制御チャンネルが多数のＰＲＢにマッピングされる分散転送の場合、前記ＰＭＩは、前記一部帯域のインデックス、ＰＲＢのインデックス、前記ダウンリンク制御チャンネルを転送する送信アンテナポートのインデックス、前記サブフレームのインデックスのうち、いずれか一つに基づいて決定できる。
【００１４】
前記ＰＭＩを決定するステップでは、前記ダウンリンク制御チャンネルに対するＰＭＩのパターンが決定できる。
【００１５】
前記方法は、前記ダウンリンク制御チャンネルが多数のＰＲＢにマッピングされる分散転送の場合、前記一部帯域のインデックス、ＰＲＢのインデックス、前記ダウンリンク制御チャンネルを転送する送信アンテナポートのインデックス、前記サブフレームのインデックスのうち、いずれか一つに基づいて前記セルにより決定されたＰＭＩに対する情報を受信するステップをさらに含むことができる。
【００１６】
具体的に、前述した目的を達成するために、本明細書の一開示は、セルのシステム帯域のうち、一部帯域のみで動作するように設定されたＭＴＣ（Machine type communication）機器をまた提供する。前記ＭＴＣ機器は、前記一部帯域内のみで受信可能なダウンリンク制御チャンネルに適用されるプリコーディングマトリックスのインデックス（ＰＭＩ）を決定するプロセッサと；前記セルから前記ダウンリンク制御チャンネルをサブフレームのデータ領域上の前記一部帯域で受信する受信部を含むことができる。前記プロセッサは、前記セルから受信されたダウンリンク制御チャンネルを前記決定されたＰＭＩに基づいて復号することができる。
【発明の効果】
【００１７】
本明細書の開示によれば、前述した従来技術の問題点が解決できるようになる。
【図面の簡単な説明】
【００１８】
【図１】無線通信システムである。
【図２】３ＧＰＰ ＬＴＥにおいて、ＦＤＤによる無線フレーム（radio frame）の構造を示す。
【図３】３ＧＰＰ ＬＴＥにおいて、一つのアップリンクまたはダウンリンクスロットに対するリソースグリッド（resource grid）を示す例示図である。
【図４】ダウンリンクサブフレームの構造を示す。
【図５】３ＧＰＰ ＬＴＥにおいて、アップリンクサブフレームの構造を示す。
【図６】基地局が一つのアンテナポートを使用する場合、ＣＲＳがＲＢにマッピングされるパターンの一例を示す。
【図７】ＥＰＤＣＣＨを有するサブフレームの一例である。
【図８】ＰＲＢ対構造の一例を示す。
【図９】ローカル転送と分散転送の例を示す。
【図１０】ＤＭ ＲＳのためのＲＥマッピングの一例を示す。
【図１１Ａ】ＥＰＤＣＣＨで一つのＥＲＥＧ内にどのようにＲＥが含まれるかを示す例示図である。
【図１１Ｂ】ＥＰＤＣＣＨで一つのＥＲＥＧ内にどのようにＲＥが含まれるかを示す例示図である。
【図１２Ａ】ＭＴＣ（Machine Type communication）通信の一例を示す。
【図１２Ｂ】ＭＴＣ機器のためのセルカバレッジ拡張の例示である。
【図１３Ａ】ＭＴＣ機器が動作する副帯域の例を示す例示図である。
【図１３Ｂ】ＭＴＣ機器が動作する副帯域の例を示す例示図である。
【図１４】Ｎ−ＥＰＤＣＣＨ（あるいは、Ｍ−ＥＰＤＣＣＨ）の転送のために使われたプリコーディングマトリックスを基地局がＭＴＣ機器に設定してくれる例を示す。
【図１５Ａ】ＣＲＳ基盤のＮ−ＥＰＤＣＣＨ（あるいは、Ｍ−ＥＰＤＣＣＨ）でＥＲＥＧのRE mappingに対する第１例示を示す。
【図１５Ｂ】ＣＲＳ基盤のＮ−ＥＰＤＣＣＨ（あるいは、Ｍ−ＥＰＤＣＣＨ）でＥＲＥＧのRE mappingに対する第２例示を示す。
【図１５Ｃ】ＣＲＳ基盤のＮ−ＥＰＤＣＣＨ（あるいは、Ｍ−ＥＰＤＣＣＨ）でＥＲＥＧのRE mappingに対する第３例示を示す。
【図１５Ｄ】ＣＲＳ基盤のＮ−ＥＰＤＣＣＨ（あるいは、Ｍ−ＥＰＤＣＣＨ）でＥＲＥＧのRE mappingに対する第４例示を示す。
【図１５Ｅ】ＣＲＳ基盤のＮ−ＥＰＤＣＣＨ（あるいは、Ｍ−ＥＰＤＣＣＨ）でＥＲＥＧのRE mappingに対する第５例示を示す。
【図１６Ａ】２個のアンテナを使用するＳＦＢＣの一例を示す。
【図１６Ｂ】２個のアンテナを使用するＳＦＢＣの一例を示す。
【図１７Ａ】ＳＦＢＣの一例を示す。
【図１７Ｂ】ＳＦＢＣの一例を示す。
【図１８】サブフレーム＃０（そして、サブフレーム＃５）上で転送されるべきＤＣＩを以前サブフレームで転送する例を示す。
【図１９】本明細書の開示が具現される無線通信システムを示すブロック図である。
【発明を実施するための形態】
【００１９】
以下、３ＧＰＰ（3rd Generation Partnership Project）ＬＴＥ（long term evolution）または３ＧＰＰ ＬＴＥ−Ａ（LTE-Advanced）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００２０】
本明細書で使われる技術的用語は、単に特定の実施例を説明するために使われたものであり、本発明を限定するものではないことに留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によってまたは前後の文脈によって解釈されなければならず、過度に縮小された意味で解釈されてはならない。
【００２１】
また、本明細書で使われる単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２２】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２３】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２４】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２５】
以下で使われる用語である基地局は、一般的に無線機器と通信する固定局（fixed station）を意味し、ｅＮｏｄｅＢ（evolved-NodeB）、ｅＮＢ（evolved-NodeB）、ＢＴＳ（Base Transceiver System）、アクセスポイント（Access Point）等、他の用語で呼ばれることもある。
【００２６】
また、以下で使われる用語であるＵＥ（User Equipment）は、固定されてもよいし、移動性を有してもよく、機器（Ｄｅｖｉｃｅ）、無線機器（Wireless Device）、端末（Terminal）、ＭＳ（mobile station）、ＵＴ（user terminal）、ＳＳ（subscriber station）、ＭＴ（mobile terminal）等、他の用語で呼ばれることもある。
【００２７】
図１は、無線通信システムである。
【００２８】
図１を参照して分かるように、無線通信システムは、少なくとも一つの基地局（base station、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２９】
ＵＥは、通常的に、一つのセルに属し、ＵＥが属するセルをサービングセル（serving cell）という。サービングセルに対して通信サービスを提供する基地局をサービング基地局（serving BS）という。無線通信システムは、セルラーシステム（cellular system）であるため、サービングセルに隣接する他のセルが存在する。サービングセルに隣接する他のセルを隣接セル（neighbor cell）という。隣接セルに対して通信サービスを提供する基地局を隣接基地局（neighbor BS）という。サービングセル及び隣接セルは、ＵＥを基準にして相対的に決定される。
【００３０】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３１】
一方、無線通信システムは、大いに、ＦＤＤ（frequency division duplex）方式とＴＤＤ（time division duplex）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（reciprocal）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位で区分されるＴＤＤシステムにおいて、アップリンク送信とダウンリンク送信は、互いに異なるサブフレームで実行される。
【００３２】
以下、ＬＴＥシステムに対し、より詳細に説明する。
【００３３】
図２は、３ＧＰＰ  ＬＴＥにおいて、ＦＤＤによる無線フレーム（radio frame）の構造を示す。
【００３４】
図２に示す無線フレームは、３ＧＰＰ  ＴＳ  ３６.２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の５節を参照することができる。
【００３５】
図２を参照すると、無線フレームは、１０個のサブフレーム（subframe）を含み、一つのサブフレームは、２個のスロット（slot）を含む。無線フレーム内のスロットは、０から１９までのスロット番号が付けられる。一つのサブフレームの送信にかかる時間を送信時間区間（Transmission Time interval：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３６】
無線フレームの構造は、例示に過ぎず、無線フレームに含まれるサブフレームの数またはサブフレームに含まれるスロットの数等は、多様に変更されることができる。
【００３７】
一方、一つのスロットは、複数のＯＦＤＭ（orthogonal frequency division multiplexing）シンボルを含むことができる。一つのスロットに含まれるＯＦＤＭシンボルの数は、循環前置（cyclic prefix：ＣＰ）によって変わることができる。ノーマル（normal）ＣＰで、１スロットは７ＯＦＤＭシンボルを含み、拡張（extended）ＣＰで、１スロットは６ＯＦＤＭシンボルを含む。ここで、ＯＦＤＭシンボルは、３ＧＰＰ  ＬＴＥがダウンリンク（downlink、ＤＬ）でＯＦＤＭＡ（orothogonal frequency division multiple access）を使用するため、時間領域で一つのシンボル区間（symbol period）を表現するためのものに過ぎず、多重接続方式や名称に制限をおくものではない。例えば、ＯＦＤＭシンボルは、ＳＣ−ＦＤＭＡ（single carrier-frequency division multiple access）シンボル、シンボル区間など、他の名称で呼ばれることもある。
【００３８】
図３は、３ＧＰＰ ＬＴＥにおいて、一つのアップリンクまたはダウンリンクスロットに対するリソースグリッド（resource grid）を示す例示図である。
【００３９】
図３を参照すると、スロットは時間領域（time domain）で複数のＯＦＤＭ（orthogonal frequency division multiplexing）シンボルを含み、周波数領域（frequency domain）でＮRB個のリソースブロック（ＲＢ）を含む。例えば、ＬＴＥシステムにおけるリソースブロック（ＲＢ）の個数、即ちＮRBは６から１１０のうちのいずれかの一つでありうる。
【００４０】
リソースブロック（resource block：ＲＢ）はリソース割り当て単位で、一つのスロットで複数の副搬送波を含む。例えば、一つのスロットが時間領域で７個のＯＦＤＭシンボルを含み、リソースブロックは周波数領域で１２個の副搬送波を含まれば、一つのリソースブロックは７×１２個のリソースエレメント（resource element：ＲＥ）を含むことができる。
【００４１】
一方、一つのＯＦＤＭシンボルで副搬送波の数は１２８、２５６、５１２、１０２４、１５３６、及び２０４８のうち、一つを選定して使用することができる。
【００４２】
図３の３ＧＰＰ ＬＴＥで一つのアップリンクスロットに対するリソースグリッドはダウンリンクスロットに対するリソースグリッドにも適用できる。
【００４３】
図４は、ダウンリンクサブフレームの構造を示す。
【００４４】
図４ではノーマルＣＰを仮定して例示的に一つのスロット内に７ＯＦＤＭシンボルが含むものとして図示した。
【００４５】
ＤＬ（downlink）サブフレームは、時間領域で制御領域（control region）とデータ領域（data region）とに分けられる。制御領域は、サブフレーム内の最初のスロットの先の最大３個のＯＦＤＭシンボルを含むが、制御領域に含まれるＯＦＤＭシンボルの個数は変わることがある。制御領域にはＰＤＣＣＨ（Physical Downlink Control Channel）及び他の制御チャンネルが割り当てられ、データ領域にはＰＤＳＣＨが割り当てられる。
【００４６】
３ＧＰＰ ＬＴＥで物理チャンネルはデータチャンネルであるＰＤＳＣＨ（Physical Downlink Shared Channel）とＰＵＳＣＨ（Physical Uplink Shared Channel）、及び制御チャンネルであるＰＤＣＣＨ（Physical Downlink Control Channel）、ＰＣＦＩＣＨ（Physical Control Format Indicator Channel）、ＰＨＩＣＨ（Physical Hybrid-ARQ Indicator Channel）、及びＰＵＣＣＨ（Physical Uplink Control Channel）に分けられる。
【００４７】
図５は、３ＧＰＰ ＬＴＥでアップリンクサブフレームの構造を示す。
【００４８】
図５を参照すると、アップリンクサブフレームは周波数領域で制御領域とデータ領域とに分けられる。制御領域にはアップリンク制御情報が転送されるためのＰＵＣＣＨ（Physical Uplink Control Channel）が割り当てられる。データ領域は、データ（場合によって制御情報も共に転送できる）が転送されるためのＰＵＳＣＨ（Physical Uplink Shared Channel）が割り当てられる。
【００４９】
一つのＵＥに対するＰＵＣＣＨはサブフレームでリソースブロック対（RB pair）で割り当てられる。リソースブロック対に属するリソースブロックは、第１スロットと第２スロットの各々で互いに異なる副搬送波を占める。ＰＵＣＣＨに割り当てられるリソースブロック対に属するリソースブロックが占める周波数は、スロット境界（slot boundary）を基準に変更される。これをＰＵＣＣＨに割り当てられるＲＢ対がスロット境界で周波数がホッピング（frequency-hopped）されたという。
【００５０】
ＵＥがアップリンク制御情報を時間によって互いに異なる副搬送波を通じて転送することによって、周波数ダイバーシティ（frequency diversity）利得を得ることができる。ｍはサブフレーム内でＰＵＣＣＨに割り当てられたリソースブロック対の論理的な周波数領域位置を示す位置インデックスである。
【００５１】
ＰＵＣＣＨ上に転送されるアップリンク制御情報にはＨＡＲＱ（hybrid automatic repeat request）ＡＣＫ（acknowledgement）／ＮＡＣＫ（non-acknowledgement）、ダウンリンクチャンネル状態を示すＣＱＩ（channel quality indicator）、アップリンク無線リソース割り当て要請であるＳＲ（scheduling request）などがある。
【００５２】
ＰＵＳＣＨは転送チャンネル（transport channel）であるＵＬ−ＳＣＨにマッピングされる。ＰＵＳＣＨ上に転送されるアップリンクデータは、転送時間区間（ＴＴＩ）の間転送されるＵＬ−ＳＣＨのためのデータブロックである転送ブロック（transport block）でありうる。前記転送ブロックは、ユーザ情報でありうる。または、アップリンクデータは多重化された（multiplexed）データでありうる。多重化されたデータはＵＬ−ＳＣＨのための転送ブロックと制御情報が多重化されたものでありうる。例えば、データに多重化される制御情報には、ＣＱＩ、ＰＭＩ（Precoding Matrix indicator）、ＨＡＲＱ、ＲＩ（rank indicator）などがありうる。または、アップリンクデータは制御情報だけで構成されることもできる。
【００５３】
＜参照番号＞
【００５４】
一方、以下、参照信号（reference signal：ＲＳ）について説明する。
【００５５】
一般に、転送情報、例えばデータは、無線チャンネルを介して転送される間、容易に歪曲、変更される。したがって、このような転送情報を誤り無しで復調するためには参照信号が必要である。
【００５６】
参照信号は、転送機と受信機との間に予め知っている信号で転送情報と共に転送される。転送機から転送される転送情報は、各転送アンテナ毎に、またはレイヤ毎に対応するチャンネルを経るため、参照信号は各転送アンテナ別またはレイヤ別に割り当てできる。各転送アンテナ別またはレイヤ別の参照信号は、時間、周波数、コードなどのリソースを用いて区別できる。参照信号は２つの目的、即ち、転送情報の復調（demodulation）とチャンネル推定のために使用できる。
【００５７】
ダウンリンク参照信号は、セル特定参照信号（cell-specific RS：ＣＲＳ）、ＭＢＳＦＮ（multimedia broadcast and multicast single frequency network）参照信号、端末特定参照信号（UE-specific RS：ＵＲＳ）、ポジショニング参照信号（positioning RS：ＰＲＳ）、及びチャンネル状態情報参照信号（Channel State Information Reference Signal：ＣＳＩ−ＲＳ）に区分できる。ＣＲＳはセル内の全てのＵＥに転送される参照信号であって、共通参照信号（Common Reference Signal）と呼ばれることもできる。ＣＲＳはＣＱＩフィードバックに対するチャンネル測定とＰＤＳＣＨに対するチャンネル推定に使用できる。ＭＢＳＦＮ参照信号は、ＭＢＳＦＮ転送のために割り当てられたサブフレームで転送できる。ＵＲＳはセル内の特定ＵＥまたは特定ＵＥグループが受信する参照信号であって、復調参照信号（demodulation RS：ＤＭ−ＲＳ）と呼ばれることができる。ＤＭ−ＲＳは、特定ＵＥまたは特定ＵＥグループがデータ復調に主に使われる。ＰＲＳは、ＵＥの位置推定に使用できる。ＣＳＩ−ＲＳは、ＬＴＥ−Ａ ＵＥのＰＤＳＣＨに対するチャンネル推定に使われる。ＣＳＩ−ＲＳは、周波数領域または時間領域で比較的まれに（sparse）配置され、一般サブフレームまたはＭＢＳＦＮサブフレームのデータ領域では省略（punctured）できる。
【００５８】
図６は、基地局が一つのアンテナポートを使用する場合、ＣＲＳがＲＢにマッピングされるパターンの一例を示す。
【００５９】
図６を参照すると、Ｒ０は基地局のアンテナポート番号０により転送されるＣＲＳがマッピングされるＲＥを示す。
【００６０】
ＣＲＳは、ＰＤＳＣＨ転送を支援するセル内の全てのダウンリンクサブフレームで転送される。ＣＲＳは、アンテナポート０〜３上に転送できる。
【００６１】
一つのアンテナポートのＣＲＳに割り当てられたリソースエレメント（ＲＥ）は他のアンテナポートの転送に使用できず、ゼロ（zero）に設定されなければならない。また、ＭＢＳＦＮ（multicast-broadcast single frequency network）サブフレームでＣＲＳはnon-MBSFN領域のみで転送される。
【００６２】
＜搬送波集成＞
【００６３】
以下、搬送波集成（carrier aggregation：ＣＣ）システムについて説明する。
【００６４】
搬送波集成システムは、多数の要素搬送波（component carrier：ＣＣ）を集成することを意味する。このような搬送波集成によって、既存のセルの意味が変更された。搬送波集成によれば、セルとは、ダウンリンク要素搬送波とアップリンク要素搬送波との組み合せ、または単独のダウンリンク要素搬送波を意味することができる。
【００６５】
また、搬送波集成でセルはプライマリセル（primary cell）とセコンダリーセル（secondary cell）、サービングセル（serving cell）に区分できる。プライマリセルはプライマリ周波数で動作するセルを意味し、ＵＥが基地局との最初連結確立過程（initial connection establishment procedure）または連結再確立過程を遂行するセル、またはハンドオーバー過程でプライマリセルとして指示されたセルを意味する。セコンダリーセルはセコンダリー周波数で動作するセルを意味し、一旦ＲＲＣ連結が確立されれば設定され、追加的な無線リソースを提供することに使われる。
【００６６】
前述したように、搬送波集成システムでは単一搬送波システムとは異なり、複数の要素搬送波（ＣＣ）、即ち、複数のサービングセルを支援することができる。
【００６７】
このような搬送波集成システムは、交差搬送波スケジューリングを支援することができる。交差搬送波スケジューリング（cross-carrier scheduling）は、特定要素搬送波を通じて転送されるＰＤＣＣＨを介して他の要素搬送波を通じて転送されるＰＤＳＣＨのリソース割り当て及び／又は前記特定要素搬送波と基本的にリンクされている要素搬送波の以外の他の要素搬送波を通じて転送されるＰＵＳＣＨのリソース割り当てを行うことができるスケジューリング方法である。
【００６８】
＜ＥＰＤＣＣＨ（Enhanced Physical Downlink Control Channel＞
【００６９】
一方、ＰＤＣＣＨはサブフレーム内の制御領域という限定された領域でモニタリングされ、またＰＤＣＣＨの復調のためには前帯域で転送されるＣＲＳが使われる。制御情報の種類が多様化し、制御情報の量が増加するにつれて、既存ＰＤＣＣＨだけではスケジューリングの柔軟性が落ちる。また、ＣＲＳ転送による負担を減らすために、ＥＰＤＣＣＨ（enhanced PDCCH）が導入されている。
【００７０】
図７は、ＥＰＤＣＣＨを有するサブフレームの一例である。
【００７１】
サブフレームは、０または一つのＰＤＣＣＨ領域４１０及び０またはその以上のＥＰＤＣＣＨ領域４２０、４３０を含むことができる。
【００７２】
ＥＰＤＣＣＨ領域４２０、４３０は、無線機器がＥＰＤＣＣＨをモニタリングする領域である。ＰＤＣＣＨ領域４１０は、サブフレームの先の最大４個のＯＦＤＭシンボル内で位置するが、ＥＰＤＣＣＨ領域４２０、４３０はＰＤＣＣＨ領域４１０の以後のＯＦＤＭシンボルで柔軟にスケジューリングできる。
【００７３】
無線機器に一つ以上のＥＰＤＣＣＨ領域４２０、４３０が指定され、無線機器は指定されたＥＰＤＣＣＨ領域４２０、４３０でＥＰＤＣＣＨをモニタリングすることができる。
【００７４】
ＥＰＤＣＣＨ領域４２０、４３０の個数／位置／サイズ、及び／又はＥＰＤＣＣＨをモニタリングするサブフレームに関する情報は、基地局が無線機器にＲＲＣメッセージなどを通じて知らせることができる。
【００７５】
ＰＤＣＣＨ領域４１０ではＣＲＳに基づいてＰＤＣＣＨを復調することができる。ＥＰＤＣＣＨ領域４２０、４３０ではＥＰＤＣＣＨの復調のためにＣＲＳでないＤＭ（demodulation） ＲＳを定義することができる。関連したＤＭ ＲＳは対応するＥＰＤＣＣＨ領域４２０、４３０で転送できる。
【００７６】
各ＥＰＤＣＣＨ領域４２０、４３０は、互いに異なるセルのためのスケジューリングに使用できる。例えば、ＥＰＤＣＣＨ領域４２０内のＥＰＤＣＣＨは、１次セルのためのスケジューリング情報を運び、ＥＰＤＣＣＨ領域４３０内のＥＰＤＣＣＨは２次セルのためのスケジューリング情報を運ぶことができる。
【００７７】
ＥＰＤＣＣＨ領域４２０、４３０でＥＰＤＣＣＨが多重アンテナを介して転送される時、ＥＰＤＣＣＨ領域４２０、４３０内のＤＭ ＲＳはＥＰＤＣＣＨと同一なプリコーディングが適用できる。
【００７８】
ＰＤＣＣＨが転送リソース単位でＣＣＥを使用することと比較して、ＥＰＣＣＨのための転送リソース単位をＥＣＣＥ（Enhanced Control Channel Element）という。集合レベル（aggregation level）は、ＥＰＤＣＣＨをモニタリングするリソース単位に定義できる。例えば、１ＥＣＣＥがＥＰＤＣＣＨのための最小リソースという時、集合レベルＬ＝｛１，２，４，８，１６｝のように定義できる。
【００７９】
以下で、ＥＰＤＤＣＨ検索空間（search space）はＥＰＤＣＣＨ領域に対応できる。ＥＰＤＣＣＨ検索空間では一つまたはその以上の集合レベル毎に一つまたはその以上のＥＰＤＣＣＨ候補がモニタリングできる。
【００８０】
以下、ＥＰＤＣＣＨのためのリソース割り当てについて記述する。
【００８１】
ＥＰＤＣＣＨは、一つまたはその以上のＥＣＣＥを用いて転送される。ＥＣＣＥは、複数のＥＲＥＧ（Enhanced Resource Element Group）を含む。ＴＤＤ（Time Division Duplex）ＤＬ−ＵＬ設定に従うサブフレームタイプとＣＰによって、ＥＣＣＥは４ＥＲＥＧまたは８ＥＲＥＧを含むことができる。例えば、正規ＣＰでＥＣＣＥは４ＥＲＥＧを含み、拡張ＣＰでＥＣＣＥは８ＥＲＥＧを含むことができる。
【００８２】
ＰＲＢ（Physical Resource Block）対（pair）は一つのサブフレームで同一なＲＢ番号を有する２個のＰＲＢをいう。ＰＲＢ対は、同一な周波数領域で最初スロットの第１のＰＲＢと２番目スロットの第２のＰＲＢをいう。正規ＣＰで、ＰＲＢ対は１２副搬送波と１４ＯＦＤＭシンボルを含み、したがって、１６８ＲＥ（resource element）を含む。
【００８３】
ＥＰＤＣＣＨ検索空間は、一つまたは複数のＰＲＢ対に設定できる。一つのＰＲＢ対は１６ＥＲＥＧを含む。したがって、ＥＣＣＥが４ＥＲＥＧを含めばＰＲＢ対は４ＥＣＣＥを含み、ＥＣＣＥが８ＥＲＥＧを含めばＰＲＢ対は２ＥＣＣＥを含む。
【００８４】
図８は、ＰＲＢ対構造の一例を示す。
【００８５】
ＰＲＢグループは４個のＰＲＢ対を含んでいるが、その個数が制限されるものではない。
【００８６】
図８の（Ａ）は、ＥＣＣＥが４ＥＲＥＧを含む時、ＥＲＥＧ集合（set）を示す。図８の（Ｂ）は、ＥＣＣＥが８ＥＲＥＧを含む時、ＥＲＥＧ集合を示す。
【００８７】
以下、別途に表示しない限り、ＥＣＣＥが４ＥＲＥＧを含むこととする。
【００８８】
ＥＰＤＣＣＨは、ローカル転送（localized transmission）と分散転送（distributed transmission）を支援する。ローカル転送で一つのＥＣＣＥを構成するＥＲＥＧは、一つのＰＲＢ対で転送される。分散転送で一つのＥＣＣＥを構成するＥＲＥＧは複数のＰＲＢ対で転送される。
【００８９】
図９は、ローカル転送と分散転送の例を示す。
【００９０】
図９の（Ａ）は、ローカル転送に従うＥＣＣＥ−ｔｏ−ＥＲＥＧマッピングの一例を示す。ローカルＥＣＣＥは、ローカル転送に使われるＥＣＣＥをいう。図９の（Ｂ）は、分散転送に従うＥＣＣＥ−ｔｏ−ＥＲＥＧマッピングの一例を示す。分散ＥＣＣＥは、分散転送に使われるＥＣＣＥをいう。
【００９１】
ＥＲＥＧ集合は、ローカルＥＣＣＥまたは分散ＥＣＣＥを構成することに使われるＥＲＥＧの集合をいう。即ち、ＥＣＣＥは同一なＥＲＥＧ集合に属するＥＲＥＧを含むということができる。
【００９２】
ＥＰＤＣＣＨは、プリコーディング利得を得るためにＣＲＳに基づいて復調されるＰＤＣＣＨとは異なり、ＤＭＲＳに基づいて復調される。
【００９３】
図１０は、ＤＭ ＲＳのためのＲＥマッピングの一例を示す。
【００９４】
ＤＭＲＳは、拡散係数（spreading factor）Ｋの値に他の方法によりチャンネル推定を遂行することができる。正規ＣＰで拡散係数Ｋ＝４であり、図１０は正規ＣＰでＲＥマッピングを示す。拡張ＣＰで拡散係数Ｋ＝２である。
【００９５】
ＤＭ ＲＳのためのアンテナポートをｐ∈｛１０７，１０８，１０９，１１０｝という時、拡散係数Ｋ＝４の拡散シーケンスの一例は、次の通りである。
【００９６】
【表１】
0006426280.tif 000002
【００９７】
ＰＲＢ ｎPRBでＲＳシーケンスｒns（ｍ）がシンボルａ(p)k,lにマッピングされる時、ＲＥマッピングは次のような数式で示すことができる。
【００９８】
【数１】
0006426280.tif 000003
【００９９】
ここで、
【０１００】
【化１】
0006426280.tif 000004
【０１０１】
拡散係数Ｋ＝２の拡散シーケンスの一例は、次の通りである。
【０１０２】
【表２】
0006426280.tif 000005
【０１０３】
＜表１＞及び＜表２＞から分かるように、アンテナポートｐ∈｛１０７，１０８，１０９，１１０｝であれば、無線機器は拡散係数が４であることを認識し、アンテナポートｐ∈｛１０７，１０８｝であれば、拡散係数が２であることを認識する。拡散係数が２の時、無線機器は第１スロットのＤＭ ＲＳと第２スロットのＤＭ ＲＳをＫ＝２の拡散シーケンスに逆拡散（despreading）した後、時間インターポレーション（time interpolation）を通じてチャンネルを推定することができる。Ｋ＝４であれば、全体サブフレームをＫ＝４の拡散シーケンスに逆拡散してチャンネルを推定することができる。拡散係数によってチャンネル推定過程は異なる。Ｋ＝２を使用すると、時間インターポレーションを通じて高い移動性で利得を得ることができ、Ｋ＝４を使用すれば、より多い無線機器またはより大きいランクを支援することができる利点がある。
【０１０４】
図１１ａ及び図１１ｂは、ＥＰＤＣＣＨで一つのＥＲＥＧ内にどのようにＲＥが含まれるかを示す例示図である。
【０１０５】
図１１ａに示すように、ＥＰＤＣＣＨで一つのＥＲＥＧ内に含まれるＲＥが同一な番号で表記されている。例えば、０番と表記された９個のＲＥは、図１１ｂに示すように、一つのＥＲＥＧ内に含まれる。この際、ＥＲＥＧのＲＥマッピングはＤＭＲＳが転送できるＲＥリソースは除外する。
【０１０６】
＜ＭＴＣ（Machine Type communication）通信＞
【０１０７】
一方、以下、ＭＴＣについて説明する。
【０１０８】
図１２ａは、ＭＴＣ（Machine Type communication）通信の一例を示す。
【０１０９】
ＭＴＣ（Machine Type Communication）は、人間相互作用（human interaction）を伴わないＭＴＣ機器１００の間に基地局２００を通じての情報交換、またはＭＴＣ機器１００とＭＴＣサーバ７００との間に基地局を通じての情報交換をいう。
【０１１０】
ＭＴＣサーバ７００は、ＭＴＣ機器１００と通信する個体（entity）である。ＭＴＣサーバ７００はＭＴＣアプリケーションを実行し、ＭＴＣ機器にＭＴＣ特定サービスを提供する。
【０１１１】
ＭＴＣ機器１００はＭＴＣ通信を提供する無線機器であって、固定されるか、または移動性を有することができる。
【０１１２】
ＭＴＣを通じて提供されるサービスは既存の人が介入する通信でのサービスとは差別性を有し、追跡（Tracking）、計量（Metering）、支払い（Payment）、医療分野サービス、遠隔調整など、多様な範疇のサービスが存在する。より具体的に、ＭＴＣを通じて提供されるサービスは、計量器検針、水位測定、監視カメラの活用、自販機の在庫報告などがありうる。
【０１１３】
ＭＴＣ機器の特異性は、転送データ量が少なく、アップ／ダウンリンクデータ送受信が時たまに発生するため、このような低いデータ転送率に合せてＭＴＣ機器の単価を低めて、バッテリー消耗を減らすことが効率的である。このようなＭＴＣ機器は移動性が少ないことを特徴とし、したがって、チャンネル環境がほとんど変わらない特性を有している。
【０１１４】
図１２ｂは、ＭＴＣ機器のためのセルカバレッジ拡張の例示である。
【０１１５】
最近、ＭＴＣ機器１００のために基地局のセルカバレッジを拡張することを考慮しており、セルカバレッジ拡張のための多様な技法が論議されている。
【０１１６】
図１３ａ及び図１３ｂは、ＭＴＣ機器が動作する副帯域の例を示す例示図である。
【０１１７】
ＭＴＣ機器の単価を低めるための一つの方案に、図１３ａに示すように、セルのシステム帯域幅に関わらず、前記ＭＴＣ機器は、例えば１．４ＭＨｚ位の副帯域を使用することができる。
【０１１８】
この際、このようなＭＴＣ機器が動作する副帯域の領域は、図１３ａに示すように、前記セルがシステム帯域幅の中心領域（例えば、中間の６個のＰＲＢ）に位置することもできる。
【０１１９】
あるいは、図１３ｂに示すように、ＭＴＣ機器間のサブフレーム内の多重化のためにＭＴＣ機器の副帯域を一つのサブフレームに多数個を置いて、ＭＴＣ機器間に異なる副帯域を使用するか、またはＭＴＣ機器間に同一な副帯域を使用するが、中間の６個のＰＲＢ領域でない、他の副帯域を使用することもできる。
【０１２０】
このような場合、ＭＴＣ機器は全システム帯域を通じて転送される既存ＰＤＣＣＨを正しく受信できない。また、他のＭＴＣ機器に転送されるＰＤＣＣＨとの多重化イシューによって既存ＰＤＣＣＨが転送されるＯＦＤＭシンボル領域上でＭＴＣ機器のためのＰＤＣＣＨが転送されることは好ましくないことがある。
【０１２１】
＜本明細書の開示＞
【０１２２】
したがって、本明細書の開示はこのような問題点を解決する方案を提示することを目的とする。
【０１２３】
具体的に、本明細書の開示は前述した問題点を解決するための一つ方案であって、ＭＴＣが動作する副帯域内でＭＴＣ機器のための制御チャンネルを別途に導入することを提案する。
【０１２４】
以下、このようにコスト低減（low-costed）されて、セルの全体システム帯域でない一部副帯域のみを使用するＭＴＣ機器のためのダウンリンク制御チャンネルをNew EPDCCH（以下、Ｎ−ＰＤＣＣＨ）、あるいはMTC-dedicated EPDCCH（以下、Ｍ−ＰＤＣＣＨ）と称する。
【０１２５】
このようなＮ−ＥＰＤＣＣＨ（あるいは、Ｍ−ＥＰＤＣＣＨ）は、既存のＥＰＤＣＣＨの形態をそのまま用いるものでありうる。または、Ｎ−ＥＰＤＣＣＨ（あるいは、Ｍ−ＥＰＤＣＣＨ）は、既存のＥＰＤＣＣＨが変形された形態でありうる。但し、Ｎ−ＥＰＤＣＣＨ（あるいは、Ｍ−ＥＰＤＣＣＨ）は、基本的に既存のＥＰＤＣＣＨが有する全ての特性をそのまま従うことができる。
【０１２６】
以下、本明細書ではＮ−ＥＰＤＣＣＨ（あるいは、Ｍ−ＥＰＤＣＣＨ）がＭＴＣ機器のために使われることを仮定して記述するが、提案するＮ−ＥＰＤＣＣＨ（あるいは、Ｍ−ＥＰＤＣＣＨ）は、ＭＴＣ機器のために使われず、他の一般的なＵＥのために使われる場合にも適用できることは勿論である。
【０１２７】
以下、本明細書で提示されるＮ−ＥＰＤＣＣＨ（あるいは、Ｍ−ＥＰＤＣＣＨ）のための参照信号、ＥＣＣＥ−ｔｏ−ＥＲＥＧマッピング、ＥＲＥＧ ｔｏ ＲＥマッピング、ＳＦＢＣなどについて説明する。
【０１２８】
Ｉ．Ｎ−ＥＰＤＣＣＨ（あるいは、Ｍ−ＥＰＤＣＣＨ）のための参照信号
【０１２９】
本明細書で提案するＮ−ＥＰＤＣＣＨ（あるいは、Ｍ−ＥＰＤＣＣＨ）の復調のために既存のＥＰＤＣＣＨでのようにＤＭＲＳに基づいてチャンネル推定を遂行することもでき、または既存ＰＤＣＣＨでのようにＣＲＳに基づいてチャンネル推定を遂行することも考慮することができる。ＭＴＣ機器がＣＲＳ基盤のチャンネル推定の遂行能力とＤＭＲＳ基盤のチャンネル推定の遂行能力を全て有しなければならないことは、ＭＴＣ機器のコスト低減面で好ましくないことがある。
【０１３０】
例えば、ＭＴＣ機器のためにはＣＲＳ基盤のチャンネル推定のみが支援される可能性がある。
【０１３１】
既存のＥＰＤＣＣＨとは異なり、ＣＲＳ基盤のチャンネル推定を遂行して、これをＮ−ＥＰＤＣＣＨ（あるいは、Ｍ−ＥＰＤＣＣＨ）の復調に使用することを考慮する場合、以下のようにＮ−ＥＰＤＣＣＨ（あるいは、Ｍ−ＥＰＤＣＣＨ）が構成できる。この際、説明の便宜のためにＣＲＳ基盤のチャンネル推定を使用してＮ−ＥＰＤＣＣＨ（あるいは、Ｍ−ＥＰＤＣＣＨ）を復調する場合、ＣＲＳ基盤のＮ−ＥＰＤＣＣＨ（あるいは、Ｍ−ＥＰＤＣＣＨ）と呼ぶ。また、ＤＭＲＳ基盤のチャンネル推定を使用してＮ−ＥＰＤＣＣＨ（あるいは、Ｍ−ＥＰＤＣＣＨ）を復調する場合、ＤＭＲＳ基盤のＮ−ＥＰＤＣＣＨ（あるいは、Ｍ−ＥＰＤＣＣＨ）という。また、ＣＲＳとＤＭＲＳを全て使用してＮ−ＥＰＤＣＣＨ（あるいは、Ｍ−ＥＰＤＣＣＨ）を復調する場合、ＣＲＳ及び／又はＤＭＲＳ基盤のＮ−ＥＰＤＣＣＨ（あるいは、Ｍ−ＥＰＤＣＣＨ）という。
【０１３２】
Ｉ−１．ＣＲＳ基盤のＮ−ＥＰＤＣＣＨ（あるいは、Ｍ−ＥＰＤＣＣＨ）
【０１３３】
ＣＲＳ基盤のＮ−ＥＰＤＣＣＨ（あるいは、Ｍ−ＥＰＤＣＣＨ）の場合、ＥＰＤＣＣＨがＣＲＳ基盤のチャンネル推定に基づいて動作するため、ＣＲＳが使用するアンテナポートを使用してＥＰＤＣＣＨが転送されなければならない。即ち、Ｎ−ＥＰＤＣＣＨ（あるいは、Ｍ−ＥＰＤＣＣＨ）は、アンテナポート０、１、２、３の全体または一部アンテナポートを介して転送できる。
【０１３４】
Ｎ−ＥＰＤＣＣＨ（あるいは、Ｍ−ＥＰＤＣＣＨ）がＣＲＳのみを使用してチャンネル推定／復調される場合、ＭＴＣ機器はＮ−ＥＰＤＣＣＨ（あるいは、Ｍ−ＥＰＤＣＣＨ）が転送されるサブフレームで常にＣＲＳを期待できなければならない。
【０１３５】
したがって、現在ＤＭＲＳのみを考慮してデザインされたEREG to RE mappingの方式がＣＲＳを考慮したマッピング方式に変更できる。このような新たなEREG-to-RE mappingの例題がＩＩＩ節に言及されている。
【０１３６】
ＣＲＳ基盤のＮ−ＥＰＤＣＣＨ（あるいは、Ｍ−ＥＰＤＣＣＨ）の場合、Ｎ−ＥＰＤＣＣＨ（あるいは、Ｍ−ＥＰＤＣＣＨ）に使われたプリコーディングマトリックスをＭＴＣ機器が予め知ることが難しい。したがって、プリコーディングマトリックスをＭＴＣ機器が知らなくてもＥＰＤＣＣＨを受信することができる転送ダイバーシティ（transmit diversity）方式によりＮ−ＥＰＤＣＣＨ（あるいは、Ｍ−ＥＰＤＣＣＨ）が転送できる。この場合、ＣＲＳ基盤のＮ−ＥＰＤＣＣＨ（あるいは、Ｍ−ＥＰＤＣＣＨ）はＳＦＢＣ技法により転送できる。このようなＳＦＢＣの適用方法と、この時のアンテナポート設定に関する内容が本明細書のＩＶ節に言及されている。ＣＲＳ基盤のＮ−ＥＰＤＣＣＨ（あるいは、Ｍ−ＥＰＤＣＣＨ）を使用する場合、ＣＲＳ基盤のＮ−ＥＰＤＣＣＨ（あるいは、Ｍ−ＥＰＤＣＣＨ）はアンテナポート０、１、２、３の全体または一部を使用して転送できる。
【０１３７】
一方、Ｎ−ＥＰＤＣＣＨ（あるいは、Ｍ−ＥＰＤＣＣＨ）の受信のためにＣＲＳのみを使用してチャンネル推定／復調が遂行される場合、ＭＴＣ機器はＮ−ＥＰＤＣＣＨ（あるいは、Ｍ−ＥＰＤＣＣＨ）が受信されるサブフレームで常にＣＲＳを期待できなければならないので、ＭＢＳＦＮサブフレームでＮ−ＥＰＤＣＣＨ（あるいは、Ｍ−ＥＰＤＣＣＨ）を転送するためには、ＭＢＳＦＮサブフレームでＭＴＣ機器がＣＲＳまたはＣＲＳと同一な構造の参照信号（ＲＳ）を受信できなければならない。しかしながら、このような参照信号（ＲＳ）はセルの全体システム帯域のうち、一部の狭い帯域上で転送されなければならない。以下、このような参照信号（ＲＳ）をnarrow-CRS（特定のＰＲＢのみで転送されるＣＲＳ）と称する。このようなnarrow-CRSの転送サブフレームは、次の通りでありうる。
【０１３８】
−Narrow-CRSはＭＢＳＦＮサブフレームのうち、ＭＴＣ機器にＮ−ＥＰＤＣＣＨ（あるいは、Ｍ−ＥＰＤＣＣＨ）が転送されるサブフレームで転送できる。
【０１３９】
−Narrow-CRSはＭＢＳＦＮサブフレームのうち、ＭＴＣ機器がＮ−ＥＰＤＣＣＨ（あるいは、Ｍ−ＥＰＤＣＣＨ）をモニターするサブフレームで転送できる。
【０１４０】
即ち、このようなnarrow-CRSは既存ＣＲＳと同一に転送されるが、単に転送リソース領域が制限できる。時間軸には非−ＰＤＣＣＨ転送領域を通じて転送されることができ、一部サブフレームのみを通じて転送できる。
【０１４１】
周波数軸には既存のＣＲＳに比べて狭い周波数リソース領域を通じて転送できる。このようなnarrow-CRSはＭＢＳＦＮサブフレームでＭＴＣ機器のＮ−ＥＰＤＣＣＨ（あるいは、Ｍ−ＥＰＤＣＣＨ）（及び／又はＰＤＳＣＨ）の受信のために転送できる。このようなnarrow-CRSの転送周波数領域は、次の通りでありうる。
【０１４２】
−narrow-CRSは、セルの全体システム帯域のうち、ＭＴＣ機器が動作する縮小された帯域幅上で転送できる。即ち、ＭＴＣ機器は自身が動作する縮小された帯域領域の全ての周波数領域を通じてnarrow-CRSが転送されると仮定することができる。
【０１４３】
−narrow-CRSは、ＭＴＣ機器のＮ−ＥＰＤＣＣＨ（あるいは、Ｍ−ＥＰＤＣＣＨ）に対するEPDCCH-PRB-setに該当するＰＲＢ領域（即ち、Ｎ−ＥＰＤＣＣＨ（あるいは、Ｍ−ＥＰＤＣＣＨ）がマッピングできるＰＲＢリソース位置）を通じて転送できる。即ち、ＭＴＣ機器はＮ−ＥＰＤＣＣＨ（あるいは、Ｍ−ＥＰＤＣＣＨ）に対するEPDCCH-PRB-setに該当するＰＲＢ領域（即ち、Ｎ−ＥＰＤＣＣＨ（あるいは、Ｍ−ＥＰＤＣＣＨ）がマッピングできるＰＲＢリソース位置）でnarrow-CRSが転送されると仮定することができる。
【０１４４】
−代案的に、ＭＴＣ機器はＮ−ＥＰＤＣＣＨが基地局から実際に転送されるＰＲＢ領域のみで、前記narrow-CRSも前記基地局から転送されると仮定することができる。
【０１４５】
このようなnarrow-CRSは、全周波数帯域を通じて転送されるＣＲＳでないので、既存ＣＲＳに比べてより高い電力で転送することが可能である。したがってnarrow-CRSは既存ＣＲＳの転送に比べて電力増大（power boosting）されて転送できる。
【０１４６】
Ｉ−２．ＣＲＳ及び／又はＤＭＲＳ基盤のＮ−ＥＰＤＣＣＨ（あるいは、Ｍ−ＥＰＤＣＣＨ）
【０１４７】
ＭＴＣ機器のうち、特にカバレッジ拡張が要求されるＭＴＣ機器はチャンネル推定性能を高めてＮ−ＥＰＤＣＣＨ（あるいは、Ｍ−ＥＰＤＣＣＨ）が転送されるサブフレーム数を減らすことが必要である。したがって、Ｎ−ＥＰＤＣＣＨ（あるいは、Ｍ−ＥＰＤＣＣＨ）の受信のためにＣＲＳ及び／又はＤＭＲＳを使用してチャンネル推定／復調を遂行することができる。
【０１４８】
Ｉ−２−１．Ｎ−ＥＰＤＣＣＨ（あるいは、Ｍ−ＥＰＤＣＣＨ）の転送アンテナポート
【０１４９】
このようなＣＲＳ及び／又はＤＭＲＳ基盤のＮ−ＥＰＤＣＣＨ（あるいは、Ｍ−ＥＰＤＣＣＨ）の場合、ＤＭＲＳがチャンネル推定に使用できなければならないので、ＤＭＲＳの転送アンテナポートとＮ−ＥＰＤＣＣＨ（あるいは、Ｍ−ＥＰＤＣＣＨ）の転送アンテナポートは、次の通りでありうる。
【０１５０】
第１例示として、ＤＭＲＳとＮ−ＥＰＤＣＣＨ（あるいは、Ｍ−ＥＰＤＣＣＨ）は、アンテナポート１０７、１０８、１０９、１１０の代わりに各々アンテナポート０、１、２、３を介して転送される。
【０１５１】
第２例示として、ＤＭＲＳとＮ−ＥＰＤＣＣＨ（あるいは、Ｍ−ＥＰＤＣＣＨ）は、アンテナポート１０７、１０９の代わりに各々アンテナポート０、１を介して転送される。また、ＤＭＲＳとＮ−ＥＰＤＣＣＨ（あるいは、Ｍ−ＥＰＤＣＣＨ）は、既存アンテナポート１０８、１１０の代りにアンテナポート２、３を介して転送される。
【０１５２】
第３例示として、ＤＭＲＳとＮ−ＥＰＤＣＣＨ（あるいは、Ｍ−ＥＰＤＣＣＨ）が転送されるアンテナポート１０７、１０８、１０９、１１０は、各々アンテナポート０、１、２、３と準−同一位置（quasico-located：ＱＣ）関係にあることができる。
【０１５３】
第４例示として、ＤＭＲＳとＮ−ＥＰＤＣＣＨ（あるいは、Ｍ−ＥＰＤＣＣＨ）が転送されるアンテナポート１０７、１０９は、各々アンテナポート０、１と準−同一位置（ＱＣ）関係にあることができる。また、ＤＭＲＳが転送されるアンテナポート１０８、１１０は各々アンテナポート２、３と準−同一位置（ＱＣ）関係にあることができる。
【０１５４】
一方、ＣＲＳ及び／又はＤＭＲＳ基盤のＮ−ＥＰＤＣＣＨ（あるいは、Ｍ−ＥＰＤＣＣＨ）の場合、ＤＭＲＳとＮ−ＥＰＤＣＣＨ（あるいは、Ｍ−ＥＰＤＣＣＨ）の転送アンテナポートは、Ｎ−ＥＰＤＣＣＨ（あるいは、Ｍ−ＥＰＤＣＣＨ）の転送技法によって変わることができる。例えば、ＤＭＲＳとＮ−ＥＰＤＣＣＨ（あるいは、Ｍ−ＥＰＤＣＣＨ）の転送アンテナポートは、次の通りでありうる。
【０１５５】
第１例示として、Ｎ−ＥＰＤＣＣＨに対してローカル転送が遂行される場合には、ＤＭＲＳ／Ｎ−ＥＰＤＣＣＨ（あるいは、Ｍ−ＥＰＤＣＣＨ）はアンテナポート１０７、１０８、１０９、１１０の代わりに各々アンテナポート０、１、２、３を介して転送される。Ｎ−ＥＰＤＣＣＨに対して分散転送が遂行される場合には、ＤＭＲＳ／Ｎ−ＥＰＤＣＣＨ（あるいは、Ｍ−ＥＰＤＣＣＨ）は、アンテナポート１０７、１０９の代わりに各々アンテナポート０、１を介して転送される。
【０１５６】
第２例示として、Ｎ−ＥＰＤＣＣＨに対してローカル転送が遂行される場合には、ＤＭＲＳ／Ｎ−ＥＰＤＣＣＨ（あるいは、Ｍ−ＥＰＤＣＣＨ）はアンテナポート１０７、１０８、１０９、１１０の代わりに各々アンテナポート０、１、２、３を介して転送される。Ｎ−ＥＰＤＣＣＨに対して分散転送が遂行される場合には、ＤＭＲＳ／Ｎ−ＥＰＤＣＣＨ（あるいは、Ｍ−ＥＰＤＣＣＨ）はアンテナポート１０７、１０９の代わりに各々アンテナポート０、２を介して転送される。
【０１５７】
第３例示として、Ｎ−ＥＰＤＣＣＨに対してローカル転送が遂行される場合に、ＤＭＲＳ／Ｎ−ＥＰＤＣＣＨ（あるいは、Ｍ−ＥＰＤＣＣＨ）が転送されるアンテナポート１０７、１０８、１０９、１１０は、各々アンテナポート０、１、２、３と準−同一位置（ＱＣ）関係にあることができる。Ｎ−ＥＰＤＣＣＨに対して分散転送が遂行される場合に、ＤＭＲＳ／Ｎ−ＥＰＤＣＣＨ（あるいは、Ｍ−ＥＰＤＣＣＨ）が転送されるアンテナポート１０７、１０９は各々アンテナポート０、１課準−同一位置（ＱＣ）関係にあることができる。
【０１５８】
第４例示として、Ｎ−ＥＰＤＣＣＨに対してローカル転送が遂行される場合に、ＤＭＲＳ／Ｎ−ＥＰＤＣＣＨ（あるいは、Ｍ−ＥＰＤＣＣＨ）が転送されるアンテナポート１０７、１０８、１０９、１１０は、各々アンテナポート０、１、２、３と準同一位置（ＱＣ）関係にあることができる。Ｎ−ＥＰＤＣＣＨに対して分散転送が遂行される場合に、ＤＭＲＳ／Ｎ−ＥＰＤＣＣＨ（あるいは、Ｍ−ＥＰＤＣＣＨ）が転送されるアンテナポート１０７、１０９は各々アンテナポート０、２と準−同一位置（ＱＣ）関係にあることができる。
【０１５９】
一方、Ｎ−ＥＰＤＣＣＨ（あるいは、Ｍ−ＥＰＤＣＣＨ）がＣＲＳ及び／又はＤＭＲＳを使用してチャンネル推定／復調を遂行する場合、ＭＴＣ機器はＮ−ＥＰＤＣＣＨ（あるいは、Ｍ−ＥＰＤＣＣＨ）が転送されるサブフレームで常にＣＲＳとＤＭＲＳを全て期待できなければならない。または、サブフレームの位置によってＭＴＣ機器はＣＲＳまたはＤＭＲＳのみ存在すると仮定することもできる。したがって、現在ＤＭＲＳのみを考慮してデザインされたEREG to RE mappingの方式がＣＲＳ及び／又はＤＭＲＳを考慮したマッピング方式に変更できる。このような新たなEREG to RE mappingの例題がＩＩＩ節に言及されている。
【０１６０】
Ｉ−２−２．Ｎ−ＥＰＤＣＣＨ（あるいは、Ｍ−ＥＰＤＣＣＨ）に使われるプリコーディングマトリックス
【０１６１】
他の一方、ＣＲＳ及び／又はＤＭＲＳ基盤のＮ−ＥＰＤＣＣＨ（あるいは、Ｍ−ＥＰＤＣＣＨ）の場合、Ｎ−ＥＰＤＣＣＨ（あるいは、Ｍ−ＥＰＤＣＣＨ）に使われたプリコーディングマトリックスをＭＴＣ機器が予め知ることが難しい。したがって、プリコーディングマトリックスをＭＴＣ機器が知らなくてもＥＰＤＣＣＨを受信することができる転送ダイバーシティ（transmit diversity）方式によりＮ−ＥＰＤＣＣＨ（あるいは、Ｍ−ＥＰＤＣＣＨ）が転送できる。この場合、ＣＲＳ及び／又はＤＭＲＳ基盤のＮ−ＥＰＤＣＣＨ（あるいは、Ｍ−ＥＰＤＣＣＨ）は、ＳＦＢＣ技法により転送できる。このようなＳＦＢＣの適用方法に関する内容が本発明のＩＶ節に言及されている。
【０１６２】
Ｉ−２−２−１．Ｎ−ＥＰＤＣＣＨ（あるいは、Ｍ−ＥＰＤＣＣＨ）に対してローカル転送が遂行される場合、プリコーディングマトリックスを知らせる方案
【０１６３】
まず、ＣＲＳ及び／又はＤＭＲＳ基盤のＮ−ＥＰＤＣＣＨ（あるいは、Ｍ−ＰＤＣＣＨ）に対してローカル転送が遂行される場合、ＭＴＣ機器がＮ−ＥＰＤＣＣＨ（あるいは、Ｍ−ＥＰＤＣＣＨ）の転送のために使われたプリコーディングマトリックスを知るようにするために、次のような方式を考慮することができる。以下の内容はＣＲＳ基盤のＮ−ＥＰＤＣＣＨ（あるいは、Ｍ−ＥＰＤＣＣＨ）の転送のためにも同一に適用できる。
【０１６４】
図１４は、Ｎ−ＥＰＤＣＣＨ（あるいは、Ｍ−ＥＰＤＣＣＨ）の転送のために使われたプリコーディングマトリックスを基地局がＭＴＣ機器に設定してくれる例を示す。
【０１６５】
図１４を参照して分かるように、ＭＴＣ機器はＮ−ＥＰＤＣＣＨ（あるいは、Ｍ−ＥＰＤＣＣＨ）の転送のために使われたプリコーディングマトリックスのインデックス（ＰＭＩ）に対する情報の設定を基地局から受けることができる。この際、このような設定はＲＲＣ信号（または、ＤＣＩ）を通じて基地局から受信できる。
【０１６６】
前記ＭＴＣ機器は、前記情報に基づいて前記Ｎ−ＥＰＤＣＣＨ（あるいは、Ｍ−ＥＰＤＣＣＨ）に適用されたＰＭＩを決定することができる。
【０１６７】
前記ＭＴＣ機器は基地局から一つのプリコーディングマトリックスのインデックスの設定を受けて、該当プリコーディングマトリックスがＮ−ＥＰＤＣＣＨ（あるいは、Ｍ−ＥＰＤＣＣＨ）の転送のために使われると仮定することができる。この際、Ｎ−ＥＰＤＣＣＨ（あるいは、Ｍ−ＥＰＤＣＣＨ）が転送される全てのＰＲＢ領域、サブフレーム領域に前記設定を受けたプリコーディングマトリックスが同一に適用されると仮定することができる。
【０１６８】
一方、Ｎ−ＥＰＤＣＣＨ（あるいは、Ｍ−ＥＰＤＣＣＨ）の転送に使われるプリコーディングマトリックスは、ＰＲＢまたはＰＲＢの束（bundle）毎に変わることができる。この場合、各ＰＲＢ（または、ＰＲＢ束）でＮ−ＥＰＤＣＣＨ（あるいは、Ｍ−ＥＰＤＣＣＨ）の転送のために使われたプリコーディングマトリックスを前記基地局がＭＴＣ機器に設定してくれることができる。例えば、同一なプリコーディングマトリックスが適用されるＰＲＢ束（bundle）のサイズが２であり、Ｎ−ＥＰＤＣＣＨ（あるいは、Ｍ−ＥＰＤＣＣＨ）が転送されるＰＲＢサイズが６の場合、ＭＴＣ機器は基地局から総３個のＰＲＢ束に使われる３個のプリコーディングマトリックスの設定を受けることができる。
【０１６９】
Ｉ−２−２−２．Ｎ−ＥＰＤＣＣＨ（あるいは、Ｍ−ＥＰＤＣＣＨ）に対して分散転送が遂行される場合、プリコーディングマトリックスを知らせる方案
【０１７０】
他の一方、ＣＲＳ及び／又はＤＭＲＳ基盤のＮ−ＥＰＤＣＣＨ（あるいは、Ｍ−ＰＤＣＣＨ）に対して分散転送が遂行される場合、ＭＴＣ機器がＮ−ＥＰＤＣＣＨ（あるいは、Ｍ−ＥＰＤＣＣＨ）の転送のために使われたプリコーディングマトリックスを知るようにするために、次のような方式を考慮することができる。以下の方式によりＮ−ＥＰＤＣＣＨ（あるいは、Ｍ−ＥＰＤＣＣＨ）と関連したＤＭＲＳの転送に使われたプリコーディングマトリックスやはり判断することができる。以下の内容はＣＲＳ基盤のＮ−ＥＰＤＣＣＨ（あるいは、Ｍ−ＥＰＤＣＣＨ）の転送のためにも同一に適用できる。
【０１７１】
（１）第１方式
【０１７２】
第１方式として、ＭＴＣ機器は以下のようなパラメータのうちの一部または全体によりＮ−ＥＰＤＣＣＨ（あるいは、Ｍ−ＥＰＤＣＣＨ）の転送のために使われたプリコーディングマトリックスを知ることができる。
【０１７３】
−副帯域（sub-band）インデックス：セルのシステム帯域の全体のうち、ＭＴＣ機器が動作する副帯域の位置を示すインデックスによりＮ−ＥＰＤＣＣＨ（あるいは、Ｍ−ＥＰＤＣＣＨ）の転送に適用されたプリコーディングマトリックスが決定できる。したがって、ＭＴＣ機器が動作する副帯域の位置を示すインデックスによってプリコーディングマトリックスのインデックスが変わることができる。または、Ｎ−ＥＰＤＣＣＨ（あるいは、Ｍ−ＥＰＤＣＣＨ）が転送されるＰＲＢ領域のうち、最も低い（または、最も高い）ＰＲＢインデックスによりＮ−ＥＰＤＣＣＨ（あるいは、Ｍ−ＥＰＤＣＣＨ）の転送に適用されたプリコーディングマトリックスが決定できる。
【０１７４】
−ＰＲＢインデックス（あるいは、ＰＲＢ束のインデックス）：Ｎ−ＥＰＤＣＣＨ（あるいは、Ｍ−ＥＰＤＣＣＨ）の転送に使われるプリコーディングマトリックスは、ＰＲＢまたはＰＲＢ束（bundle）毎に変わることができる。この場合、各ＰＲＢ（または、PRB bundle）でＮ−ＥＰＤＣＣＨ（あるいは、Ｍ−ＥＰＤＣＣＨ）の転送のために使われたプリコーディングマトリックスは、ＰＲＢインデックス（または、ＰＲＢ束のインデックス）により決定できる。Ｎ−ＥＰＤＣＣＨ（あるいは、Ｍ−ＥＰＤＣＣＨ）の転送に使われるプリコーディングマトリックスがＰＲＢまたはＰＲＢ束毎に変わる場合、ＰＲＢ束を構成するＰＲＢ領域のうち、最も低い（または、最も高い）ＰＲＢインデックスにより該当ＰＲＢ束（bundle）で使われるプリコーディングマトリックスが決定できる。
【０１７５】
−アンテナポートインデックス：Ｎ−ＥＰＤＣＣＨ（あるいは、Ｍ−ＥＰＤＣＣＨ）の転送に使われるプリコーディングマトリックスは、Ｎ−ＥＰＤＣＣＨ（あるいは、Ｍ−ＥＰＤＣＣＨ）の転送アンテナポートインデックスにより決定できる。
【０１７６】
−サブフレームインデックス：Ｎ−ＥＰＤＣＣＨ（あるいは、Ｍ−ＥＰＤＣＣＨ）の転送に使われるプリコーディングマトリックスは、サブフレーム毎に（または、複数のサブフレーム毎にあるいは複数サブフレームなどの束毎に）変わることができる。この場合、各サブフレーム（または、サブフレームの束）でＮ−ＥＰＤＣＣＨ（あるいは、Ｍ−ＥＰＤＣＣＨ）の転送のために使われたプリコーディングマトリックスは、サブフレームインデックス（または、サブフレーム束のインデックス）により決定できる。Ｎ−ＥＰＤＣＣＨ（あるいは、Ｍ−ＥＰＤＣＣＨ）の転送に使われるプリコーディングマトリックスがサブフレームまたはサブフレームの束毎に変わる場合、サブフレーム束内のサブフレームのうち、最も低い（または、最も高い）サブフレームインデックスにより該当サブフレーム束に対して使われるプリコーディングマトリックスが決定できる。前記のサブフレームインデックスはＳＦＮ（system frame number）に代替できる。
【０１７７】
−ＭＴＣ機器のＩＤ：Ｎ−ＥＰＤＣＣＨ（あるいは、Ｍ−ＥＰＤＣＣＨ）の転送に使われるプリコーディングマトリックスは、Ｎ−ＥＰＤＣＣＨ（あるいは、Ｍ−ＥＰＤＣＣＨ）を受信するＭＴＣ機器ＩＤにより変わることができる。特徴的に、ＣＳＳを通じてＮ−ＥＰＤＣＣＨ（あるいは、Ｍ−ＥＰＤＣＣＨ）を転送する場合、ＭＴＣ機器のＩＤの代わりにセルＩＤが使用できる。または、Ｎ−ＥＰＤＣＣＨ（あるいは、Ｍ−ＥＰＤＣＣＨ）がスクランブリングされるＲＮＴＩ値（例えば、ＳＩ−ＲＮＴＩ、Ｐ−ＲＮＴＩ、ＲＡ−ＲＮＴＩ）が使用できる。
【０１７８】
Ｎ−ＥＰＤＣＣＨ（あるいは、Ｍ−ＥＰＤＣＣＨ）に対して分散転送が遂行される場合、Ｎ−ＥＰＤＣＣＨ（あるいは、Ｍ−ＥＰＤＣＣＨ）に使われるプリコーディングマトリックスは、現在アンテナポート、ＰＲＢ位置、サブフレーム位置毎に変わることができる。即ち、ＭＴＣ機器は、同一なアンテナポート、ＰＲＢ位置、そしてサブフレーム位置内のみでＮ−ＥＰＤＣＣＨ（あるいは、Ｍ−ＥＰＤＣＣＨ）に使われるプリコーディングマトリックスが同一であると仮定することができる。このようなプリコーディングマトリックスの決定形態をそのまま維持するために、Ｎ−ＥＰＤＣＣＨ（あるいは、Ｍ−ＥＰＤＣＣＨ）の転送のために使われたプリコーディングマトリックスは、例えばアンテナポートインデックス、ＰＲＢインデックス、そしてサブフレームインデックスにより決定されるようにすることができる。即ち、ＭＴＣ機器はＮ−ＥＰＤＣＣＨ（あるいは、Ｍ−ＥＰＤＣＣＨ）が転送されるアンテナポートインデックス、ＰＲＢインデックス、そしてサブフレームインデックスを知れば、これを通じて該当アンテナポートインデックス、ＰＲＢインデックス、そして、サブフレームインデックスでＮ−ＥＰＤＣＣＨ（あるいは、Ｍ−ＥＰＤＣＣＨ）の転送のために使われたプリコーディングマトリックスを類推／判断することができる。
【０１７９】
（２）第２方式
【０１８０】
第２方式として、ＭＴＣ機器はＮ−ＥＰＤＣＣＨ（あるいは、Ｍ−ＥＰＤＣＣＨ）の転送のために使われたプリコーディングマトリックスの設定を基地局から受けることができる。例えば、Ｎ−ＥＰＤＣＣＨ（あるいは、Ｍ−ＥＰＤＣＣＨ）が転送されるアンテナポート、ＰＲＢ位置、及び／又はサブフレーム位置に従うプリコーディングマトリックスのインデックスを基地局から明示的（explicitly）に設定を受けることができる。
【０１８１】
この場合、基地局がＭＴＣ機器に与えるべき設定情報の量があまり多くなるという問題が発生する。したがって、設定情報の量を減らすために、アンテナポートに従うプリコーディングマトリックスのみを基地局が明示的にＭＴＣ機器に設定してくれることができる。この場合、ＭＴＣ機器はアンテナポートのみによってプリコーディングマトリックスが変わり、例えばＰＲＢ位置、サブフレーム位置によってはプリコーディングマトリックスが変わらず、同一であると仮定することができる。
【０１８２】
または、アンテナポート、ＰＲＢ位置、及び／又はサブフレーム位置によって変化するプリコーディングマトリックスのパターンが複数個存在し、基地局はＭＴＣ機器にプリコーディングマトリックスパターンのインデックスを設定してくれることができる。このようなパターンのインデックスはＲＲＣシグナル（または、ＤＣＩ）を通じて伝達できる。
【０１８３】
（３）第３方式
【０１８４】
第３方式として、Ｎ−ＥＰＤＣＣＨ（あるいは、Ｍ−ＥＰＤＣＣＨ）の転送のために使われたプリコーディングマトリックスが前述した第１方式のようなパラメータにより決定され、追加的に基地局から受信した明示的シグナリング（explicit signaling）によってもプリコーディングマトリックスが変わることができる。即ち、前述した第１方式のパラメータと基地局から受信されるＲＲＣ信号（または、ＤＣＩ）を通じて設定されたプリコーディングマトリックスインデックスによりＮ−ＥＰＤＣＣＨ（あるいは、Ｍ−ＥＰＤＣＣＨ）に使われるプリコーディングマトリックスが決定できる。例えば、アンテナポートインデックス、ＰＲＢインデックス、そして、サブフレームインデックス毎にＮ−ＥＰＤＣＣＨ（あるいは、Ｍ−ＥＰＤＣＣＨ）に使われるプリコーディングマトリックスが変わる場合、ＭＴＣ機器はＮ−ＥＰＤＣＣＨ（あるいは、Ｍ−ＥＰＤＣＣＨ）が転送されるアンテナポートインデックス、ＰＲＢインデックス、及びサブフレームインデックスと、そして、基地局から設定を受けたプリコーディングマトリックスインデックスを知れば、これを通じて該当アンテナポートインデックス、ＰＲＢインデックス、そしてサブフレームインデックスでＮ−ＥＰＤＣＣＨ（あるいは、Ｍ−ＥＰＤＣＣＨ）の転送のために使われたプリコーディングマトリックスを類推／判断することができる。この場合、同一アンテナポートインデックス、ＰＲＢインデックス、そして、サブフレームインデックスを通じてＮ−ＥＰＤＣＣＨ（あるいは、Ｍ−ＥＰＤＣＣＨ）が転送されるとしても、基地局から設定を受けたプリコーディングマトリックスインデックスによって該当アンテナポートインデックス、ＰＲＢインデックス、そして、サブフレームインデックスでＮ−ＥＰＤＣＣＨ（あるいは、Ｍ−ＥＰＤＣＣＨ）の転送のために使われたプリコーディングマトリックスが変わることができる。
【０１８５】
Ｎ−ＥＰＤＣＣＨ（あるいは、Ｍ−ＥＰＤＣＣＨ）がＣＲＳ及び／又はＤＭＲＳを使用してチャンネル推定／復調される場合、ＭＴＣ機器はＮ−ＥＰＤＣＣＨ（あるいは、Ｍ−ＥＰＤＣＣＨ）が転送されるサブフレームで常にＣＲＳ及び／又はＤＭＲＳを期待できなければならない。一方、現在ＭＢＳＦＮサブフレームの非−ＰＤＣＣＨ転送領域でＤＭＲＳは転送できるが、ＣＲＳは転送できない。
【０１８６】
ＭＴＣ機器が常にＣＲＳ及び／又はＤＭＲＳを使用してチャンネル推定／復調を遂行する場合、ＭＴＣ機器はＮ−ＥＰＤＣＣＨ（あるいは、Ｍ−ＥＰＤＣＣＨ）が受信されるサブフレームでＣＲＳ及び／又はＤＭＲＳの受信を期待できなければならない。したがって、基地局がＭＢＳＦＮサブフレームでもＮ−ＥＰＤＣＣＨ（あるいは、Ｍ−ＥＰＤＣＣＨ）が転送される場合、前記基地局は前記ＭＢＳＦＮサブフレームでＣＲＳ及び／又はＤＭＲＳを転送しなければならない。ＤＭＲＳを前記ＭＢＳＦＮサブフレーム上で転送することは問題にならないが、一般的なＣＲＳはＭＢＳＦＮサブフレーム上で転送できない。したがって、ＭＴＣ機器はＭＢＳＦＮサブフレームでＮ−ＥＰＤＣＣＨ（あるいは、Ｍ−ＥＰＤＣＣＨ）を受信するために、前述したnarrow-CRSが受信されると仮定することができる。
【０１８７】
ＣＲＳの転送が既存と同一な場合、ＭＴＣ機器は非−ＭＢＳＦＮサブフレームでは（ＣＲＳが転送されるサブフレームでは）ＣＲＳ及び／又はＤＭＲＳをＮ−ＥＰＤＣＣＨ（あるいは、Ｍ−ＥＰＤＣＣＨ）の受信のためのチャンネル推定／復調に使用することができる。しかしながら、ＭＢＳＦＮサブフレームではＣＲＳは受信できないので、前記ＭＴＣ機器はＤＭＲＳのみを使用してＮ−ＥＰＤＣＣＨ（あるいは、Ｍ−ＥＰＤＣＣＨ）の受信のためのチャンネル推定／復調を遂行することができる。
【０１８８】
一般サブフレーム（即ち、非−ＭＢＳＦＮサブフレーム）では非−ＰＤＣＣＨ転送領域でＣＲＳとＤＭＲＳが全て転送できるが、ＭＢＳＦＮサブフレームでは非−ＰＤＣＣＨ転送領域でＤＭＲＳのみ転送できる。したがって、ＣＲＳが受信されるサブフレーム（例えば、一般サブフレーム）ではＣＲＳに基づいてＮ−ＥＰＤＣＣＨ（あるいは、Ｍ−ＥＰＤＣＣＨ）を受信し（即ち、ＣＲＳをＮ−ＥＰＤＣＣＨ（あるいは、Ｍ−ＥＰＤＣＣＨ）の受信のためのチャンネル推定／復調に使用し）、ＣＲＳが受信できず、ＤＭＲＳのみ受信できるサブフレーム（例えば、ＭＢＳＦＮサブフレーム）ではＤＭＲＳに基づいてＮ−ＥＰＤＣＣＨ（あるいは、Ｍ−ＥＰＤＣＣＨ）を受信（即ち、ＤＭＲＳをＮ−ＥＰＤＣＣＨ（あるいは、Ｍ−ＥＰＤＣＣＨ）の受信のためのチャンネル推定／復調に使用）することができる。
【０１８９】
ＩＩ．Ｎ−ＥＰＤＣＣＨ（あるいは、Ｍ−ＥＰＤＣＣＨ）のためのECCE to EREG mapping
【０１９０】
まず、既存ＥＰＤＣＣＨのためのECCE to EREG mappingを説明すると、次の通りである。
【０１９１】
サブフレームｉでＥＰＤＣＣＨセットｓm内でＥＰＤＣＣＨの転送のために利用可能なＥＣＣＥは、０からＮECCE,m,i−１までの番号が与えられる。ＥＣＣＥ番号は、次の通りである。
【０１９２】
【化２】
0006426280.tif 000006
【０１９３】
【化３】
0006426280.tif 000007
【０１９４】
ｊ＝０，１，．．．，ＮEREGECCE−１であり、ＮEREGECCEはＥＣＣＥ当たりＥＲＥＧの個数である。そして、ＮECCERB＝１６／ＮEREGECCEはリソースブロックの対当たりＥＣＣＥの個数である。
【０１９５】
【化４】
0006426280.tif 000008
【０１９６】
一方、Ｎ−ＥＰＤＣＣＨ（あるいは、Ｍ−ＥＰＤＣＣＨ）の場合、大別して２つの方法のECCE to EREG mapping関係を考慮することができる。
【０１９７】
一つは、前述したようなローカル転送のためのマッピング方式であり、もう一つは、前述したような分散転送のためのマッピング方式である。
【０１９８】
本節ではＮ−ＥＰＤＣＣＨ（あるいは、Ｍ−ＥＰＤＣＣＨ）の場合、転送タイプ（例えば、ローカル転送または分散転送）に関わらず、ECCE to EREG mappingのためにローカル転送のマッピングと分散転送のマッピングを全て使用できることを提案する。この場合、基地局はＭＴＣ機器に上位階層シグナルまたはＳＩＢを通じてローカル転送のマッピングと分散転送のマッピングのうち、どのようなものを使用してＮ−ＥＰＤＣＣＨ（あるいは、Ｍ−ＥＰＤＣＣＨ）を転送するかを設定してくれることができる。または、ＭＴＣ機器は２つ方式を全てに対してＮ−ＥＰＤＣＣＨ（あるいは、Ｍ−ＥＰＤＣＣＨ）が転送できると仮定し、ブラインド復号（blind decoding）を通じてＮ−ＥＰＤＣＣＨ（あるいは、Ｍ−ＥＰＤＣＣＨ）の受信を試みることができる。即ち、例えば以下のＩＶ節に後述するように、ＳＦＢＣ方式によりＮ−ＥＰＤＣＣＨ（あるいは、Ｍ−ＥＰＤＣＣＨ）が転送される場合、Ｎ−ＥＰＤＣＣＨ（あるいは、Ｍ−ＥＰＤＣＣＨ）のＥＣＣＥを構成するＥＲＥＧのマッピング関係は、ローカル転送のマッピングと分散転送のマッピング方式全てが使用できる。
【０１９９】
ＩＩＩ．Ｎ−ＥＰＤＣＣＨ（あるいは、Ｍ−ＥＰＤＣＣＨ）のためのEREG to RE mapping
【０２００】
先に、既存ＥＰＤＣＣＨで一つのＥＲＥＧ内にどのようにＲＥが含まれるかに対して図１１ａ及び図１１ｂを参照して説明した。
【０２０１】
しかしながら、コスト低減（low-cost）のためにＭＴＣ機器がセルのシステム帯域幅の全体のうち、一部の副帯域のみを使用する場合、既存にＰＤＣＣＨのために転送されていたＯＦＤＭシンボル領域はＭＴＣ機器が使用できなくなる。
【０２０２】
したがって、ＭＴＣ機器は既存のＭＴＣ機器に比べて常により少ない数のＯＦＤＭシンボル（例えば、サブフレーム当たり１２個のＯＦＤＭシンボル）が存在すると仮定し、動作することができる。また、ＣＲＳ基盤のＮ−ＥＰＤＣＣＨ（あるいは、Ｍ−ＥＰＤＣＣＨ）を考慮する場合、Ｎ−ＥＰＤＣＣＨ（あるいは、Ｍ−ＥＰＤＣＣＨ）が転送されるＰＲＢ領域でＤＭＲＳが転送されないため、ＤＭＲＳが転送されるＲＥリソース領域をＮ−ＥＰＤＣＣＨ（あるいは、Ｍ−ＥＰＤＣＣＨ）の転送時に考慮しなくてもよい。
【０２０３】
したがって、以下では、Ｎ−ＥＰＤＣＣＨ（あるいは、Ｍ−ＥＰＤＣＣＨ）のためのＲＢ内でのＥＲＥＧのRE mappingを新しく提案する。
【０２０４】
ＩＩＩ−１．ＤＭＲＳ基盤のＮ−ＥＰＤＣＣＨ（あるいは、Ｍ−ＥＰＤＣＣＨ）
【０２０５】
ＤＭＲＳ基盤のＮ−ＥＰＤＣＣＨ（あるいは、Ｍ−ＥＰＤＣＣＨ）の場合、既存ＰＤＣＣＨが転送されるＯＦＤＭシンボル領域を考慮してＥＲＥＧのRE mappingを遂行することができる。
【０２０６】
例えば、３個のＯＦＤＭシンボルが既存ＰＤＣＣＨのために使われることを考慮してＮ−ＥＰＤＣＣＨ（あるいは、Ｍ−ＥＰＤＣＣＨ）のＥＲＥＧのRE mappingを遂行することができる。この場合、既存ＰＤＣＣＨが転送されるＯＦＤＭシンボル＃０、＃１、＃２に位置したＲＥリソースとＤＭＲＳ（アンテナポート１０７、１０８、１０９、１１０のためのＤＭＲＳ）が転送されるＲＥリソースはＮ−ＥＰＤＣＣＨ（あるいは、Ｍ−ＥＰＤＣＣＨ）のＥＲＥＧのRE mappingから除外できる。即ち、既存ＰＤＣＣＨが転送されるＯＦＤＭシンボル＃０、＃１、＃２に位置したＲＥリソースとＤＭＲＳ（アンテナポート１０７、１０８、１０９、１１０のためのＤＭＲＳ）が転送されるＲＥリソースがＥＲＥＧから除外できる。
【０２０７】
このような場合、ＲＢ当たり総１０８個のＲＥがＥＲＥＧのRE mappingのために使われることができ、９個のＲＥで構成されたＥＲＥＧがＲＢ当たり総１２個存在することができる。
【０２０８】
ＩＩＩ−２．ＣＲＳ基盤のＮ−ＥＰＤＣＣＨ（あるいは、Ｍ−ＥＰＤＣＣＨ）
【０２０９】
ＣＲＳ基盤のＮ−ＥＰＤＣＣＨ（あるいは、Ｍ−ＥＰＤＣＣＨ）の場合、既存ＰＤＣＣＨが転送されるＯＦＤＭシンボル領域及び／又はＣＲＳが転送されるＲＥリソース領域を考慮してＥＲＥＧのRE mappingを遂行することができる。
【０２１０】
（１）第１例示
【０２１１】
例えば、２個のＯＦＤＭシンボルが既存ＰＤＣＣＨのために使われることを考慮してＮ−ＥＰＤＣＣＨ（あるいは、Ｍ−ＥＰＤＣＣＨ）のＥＲＥＧのRE mappingを遂行することができる。この場合、既存ＰＤＣＣＨが転送されるＯＦＤＭシンボル＃０、＃１に位置したＲＥリソースがＮ−ＥＰＤＣＣＨ（あるいは、Ｍ−ＥＰＤＣＣＨ）のＥＲＥＧのRE mappingから除外できる。即ち、既存ＰＤＣＣＨが転送されるＯＦＤＭシンボル＃０、＃１に位置したＲＥリソースがＥＲＥＧから除外できる。
【０２１２】
このような場合、ＲＢ当たり総１４４個のＲＥがＥＲＥＧのRE mappingのために使われることができ、９個のＲＥで構成されたＥＲＥＧがＲＢ当たり総１６個存在することができる。
【０２１３】
図１５ａは、ＣＲＳ基盤のＮ−ＥＰＤＣＣＨ（あるいは、Ｍ−ＥＰＤＣＣＨ）でＥＲＥＧのRE mappingに対する第１例示を示す。
【０２１４】
図１５ａでは、ＰＤＣＣＨのためのＯＦＤＭシンボルが２個であることを仮定して示す。
【０２１５】
例えば１５ａに示すように、ＲＢ内でＥＲＥＧのＲＥが含まれることができる。図１５ａで、一つのＥＲＥＧを構成するＲＥが同一な数字で表記されている。
【０２１６】
このようなEREG RE mapping技法を使用すれば、既存のＥＰＤＣＣＨとＲＢ内に存在するＥＲＥＧの個数とＥＲＥＧを構成するＲＥの個数が同一であるので、具現の複雑度が減るという長所がある。
【０２１７】
（２）第２例示
【０２１８】
例えば、一つのＯＦＤＭシンボルが既存ＰＤＣＣＨのために使われることを考慮し、これと共にＣＲＳポート０、ＣＲＳポート１のＲＥ位置を考慮してＮ−ＥＰＤＣＣＨ（あるいは、Ｍ−ＥＰＤＣＣＨ）のＥＲＥＧのRE mappingを遂行することができる。この場合、既存ＰＤＣＣＨが転送されるＯＦＤＭシンボル＃０に位置したＲＥリソースとＣＲＳポート０、ＣＲＳポート１が転送されるＲＥリソースがＮ−ＥＰＤＣＣＨ（あるいは、Ｍ−ＥＰＤＣＣＨ）のＥＲＥＧのRE mappingから除外できる。即ち、既存ＰＤＣＣＨが転送されるＯＦＤＭシンボル＃０に位置したＲＥリソースとＣＲＳポート０、ＣＲＳポート１が転送されるＲＥリソースがＥＲＥＧから除外できる。この場合、アンテナポート２、３を介してＣＲＳが転送される場合、ＣＲＳポート２、３が転送されるＲＥリソースではＮ−ＥＰＤＣＣＨ（あるいは、Ｍ−ＥＰＤＣＣＨ）をrate-matchingして転送できる。
【０２１９】
このような場合、ＲＢ当たり総１４４個のＲＥがＥＲＥＧのRE mappingのために使われることができ、９個のＲＥで構成されたＥＲＥＧがＲＢ当たり総１６個存在することができる。
【０２２０】
図１５ｂは、ＣＲＳ基盤のＮ−ＥＰＤＣＣＨ（あるいは、Ｍ−ＥＰＤＣＣＨ）でＥＲＥＧのRE mappingに対する第２例示を示す。
【０２２１】
図１５ｂでは、ＰＤＣＣＨのためのＯＦＤＭシンボルが一つであり、ＣＲＳは一つのアンテナポートを介して転送されることを仮定して示す。
【０２２２】
例えば、ＣＲＳのｖ−ｓｈｉｆｔ値が０の場合、１５ｂに示すように、ＲＢ内でＥＲＥＧのＲＥが構成できる。図１５ｂには一つのＥＲＥＧを構成するＲＥが同一な数字で表記されている。
【０２２３】
このようなEREG RE mapping技法を使用すれば、既存のＥＰＤＣＣＨとＲＢ内に存在するＥＲＥＧの個数とＥＲＥＧを構成するＲＥの個数が同一であるので、具現複雑度が減るという長所がある。しかしながら、ＣＲＳの転送ＲＥ位置が物理セルＩＤによって／ｖ−ｓｈｉｆｔ値によって変更されるので、ＣＲＳの位置によって一つのＥＲＥＧを構成するＲＥ位置が変更される。この際、ＣＲＳの位置に従うEREG to RE mappingは、ｉ）変化されたＣＲＳ位置を考慮してＰＲＢ内で‘increasing order of first the subcarrier index and then the OFDM symbol index starting with the first slot and ending with the second slot’のような規則により新しくマッピングできる。また、ｉｉ）ＣＲＳの位置がｖ−ｓｈｉｆｔされただけＰＲＢ内でEREG to RE mappingも共にｖ−ｓｈｉｆｔが遂行できる。
【０２２４】
この場合、例えば特定セルでＣＲＳの転送のためにアンテナポート０のみを使用するようになれば、アンテナポート１のＣＲＳが転送されるＲＥ個所に何も転送されず、リソースが浪費される問題が発生することがある。したがって、このようなリソース浪費を防止するために、ＭＴＣ機器は次のように仮定することができる。
【０２２５】
ＣＲＳがアンテナポート０のみで転送される場合、ＭＴＣ機器はアンテナポート１を介してＣＲＳが転送されるＲＥ領域でもＣＲＳがアンテナポート０を介して転送されると仮定することができる。
【０２２６】
この際、前記の仮定は既存ＰＤＣＣＨが転送されないＯＦＤＭシンボル領域のみでなされることができる。または、特徴的に前記の仮定はＭＴＣ機器がＲＲＣシグナルを通じて設定を受けた‘Ｎ−ＥＰＤＣＣＨ（あるいは、Ｍ−ＥＰＤＣＣＨ）の転送が始まるＯＦＤＭシンボル位置’の以後のＯＦＤＭシンボル領域のみでなされることができる。
【０２２７】
（３）第３例示
【０２２８】
３個のＯＦＤＭシンボルが既存ＰＤＣＣＨのために使われることを考慮し、これと共にＣＲＳポート０のＲＥ位置を考慮してＮ−ＥＰＤＣＣＨ（あるいは、Ｍ−ＥＰＤＣＣＨ）のＥＲＥＧのRE mappingを遂行することができる。この場合、既存ＰＤＣＣＨが転送されるＯＦＤＭシンボル＃０、＃１、＃２に位置したＲＥリソースとＣＲＳポート０が転送されるＲＥリソースがＮ−ＥＰＤＣＣＨ（あるいは、Ｍ−ＥＰＤＣＣＨ）のＥＲＥＧのRE mappingから除外できる。即ち、既存ＰＤＣＣＨが転送されるＯＦＤＭシンボル＃０、＃１、＃２に位置したＲＥリソースとＣＲＳポート０が転送されるＲＥリソースはＥＲＥＧから除外できる。この場合、アンテナポート１、２、３を介してＣＲＳが転送される場合、ＣＲＳポート１、２、３が転送されるＲＥリソースではＮ−ＥＰＤＣＣＨ（あるいは、Ｍ−ＥＰＤＣＣＨ）をrate−matchingして転送できる。
【０２２９】
このような場合、ＲＢ当たり総１０８個ＲＥがＥＲＥＧのRE mappingのために使われることができ、９個のＲＥで構成されたＥＲＥＧがＲＢ当たり総１２個存在することができる。
【０２３０】
図１５ｃは、ＣＲＳ基盤のＮ−ＥＰＤＣＣＨ（あるいは、Ｍ−ＥＰＤＣＣＨ）でＥＲＥＧのRE mappingに対する第３例示を示す。
【０２３１】
図１５ｃでは、ＰＤＣＣＨのためのＯＦＤＭシンボルが３個であり、ＣＲＳは一つのアンテナポートを介して転送されることを仮定して示す。
【０２３２】
図１５ｃに示すように、例えばＣＲＳのｖ−ｓｈｉｆｔ値が０の場合、ＲＢ内でＥＲＥＧのＲＥが構成できる。図１５ｃでは、一つのＥＲＥＧを構成するＲＥが同一な数字で表記されている。
【０２３３】
この場合、ＣＲＳの転送ＲＥ位置が物理セルＩＤによって／ｖ−ｓｈｉｆｔ値によって変更されるので、ＣＲＳの位置によって一つのＥＲＥＧを構成するＲＥ位置が変更される。この際、ＣＲＳの位置に従うEREG-to-RE mappingは、ｉ）変化されたＣＲＳ位置を考慮してＰＲＢ内で‘increasing order of first the subcarrier index and then the OFDM symbol index starting with the first slot and ending with the second slot’のような規則により新しくマッピングできる。また、ｉｉ）ＣＲＳの位置がｖ−ｓｈｉｆｔされただけＰＲＢ内でEREG-to-RE mappingも共にｖ−ｓｈｉｆｔが遂行できる。
【０２３４】
（４）第４例示
【０２３５】
０個のＯＦＤＭシンボルが既存ＰＤＣＣＨのために使われることを考慮し、これと共にＣＲＳポート０、１、２、３のＲＥ位置を考慮してＮ−ＥＰＤＣＣＨ（あるいは、Ｍ−ＥＰＤＣＣＨ）のＥＲＥＧのRE mappingを遂行することができる。この場合、ＣＲＳポート０、１、２、３が転送されるＲＥリソースがＮ−ＥＰＤＣＣＨ（あるいは、Ｍ−ＥＰＤＣＣＨ）のＥＲＥＧのRE mappingから除外できる。即ち、ＣＲＳポート０、１、２、３が転送されるＲＥリソースはＥＲＥＧから除外できる。
【０２３６】
このような場合、ＲＢ当たり総１４４個のＲＥがＥＲＥＧのRE mappingのために使われることができ、９個のＲＥで構成されたＥＲＥＧがＲＢ当たり総１６個存在することができる。
【０２３７】
図１５ｄは、ＣＲＳ基盤のＮ−ＥＰＤＣＣＨ（あるいは、Ｍ−ＥＰＤＣＣＨ）でＥＲＥＧのRE mappingに対する第４例示を示す。
【０２３８】
図１５ｄでは、ＰＤＣＣＨのためのＯＦＤＭシンボルが０個であり、ＣＲＳは４個のアンテナポートを介して転送されることを仮定して示す。
【０２３９】
ＣＲＳのｖ−ｓｈｉｆｔ値が０の場合、図１５ｄに示すように、ＲＢ内でＥＲＥＧのＲＥが含まれることができる。図１５ｄには一つのＥＲＥＧを構成するＲＥが同一な数字で表記されている。
【０２４０】
このようなEREG RE mapping技法を使用すれば、既存のＥＰＤＣＣＨとＲＢ内に存在するＥＲＥＧの個数とＥＲＥＧを構成するＲＥの個数が同一であるので、具現複雑度が減るという長所がある。しかしながら、ＣＲＳの転送ＲＥ位置が物理セルＩＤによって／ｖ−ｓｈｉｆｔ値によって変更されるので、ＣＲＳの位置によって一つのＥＲＥＧを構成するＲＥ位置が変更されるようになる。この際、ＣＲＳの位置に従うEREG-to-RE mappingは、ｉ）変化されたＣＲＳ位置を考慮してＰＲＢ内で‘increasing order of first the subcarrier index and then the OFDM symbol index starting with the first slot and ending with the second slot’のようなルール（rule）により新しくマッピングできる。または、ｉｉ）ＣＲＳの位置がｖ−ｓｈｉｆｔされただけＰＲＢ内でEREG-to-RE mappingも共にｖ−ｓｈｉｆｔが遂行できる。
【０２４１】
この場合、例えば特定セルでＣＲＳの転送のためにアンテナポート０、１のみを使用するようになれば、アンテナポート２、３のＣＲＳが転送されるＲＥ個所に何も転送されず、リソースが浪費される問題が発生することがある。したがって、このようなリソース浪費を防止するために、ＭＴＣ機器は次のように仮定することができる。
【０２４２】
ＣＲＳがアンテナポート０のみで転送される場合、ＭＴＣ機器はアンテナポート１、２、３を介してＣＲＳが転送されるＲＥ領域でもＣＲＳがアンテナポート０を介して転送されると仮定することができる。
【０２４３】
または、ＣＲＳがアンテナポート０、１のみで転送される場合、ＭＴＣ機器はアンテナポート２、３を介してＣＲＳが転送されるＲＥ領域でもＣＲＳがアンテナポート０、１を介して転送されると仮定することができる。例えば、アンテナポート２を介してＣＲＳが転送されるＲＥ領域ではアンテナポート０を介してＣＲＳが転送され、アンテナポート３を介してＣＲＳが転送されるＲＥ領域ではアンテナポート１を介してＣＲＳが転送されると仮定することができる。
【０２４４】
即ち、Ｎ−ＥＰＤＣＣＨ（あるいは、Ｍ−ＥＰＤＣＣＨ）のEREG to RE mappingから除外されるＣＲＳ転送ＲＥ位置のうち、ＣＲＳが転送されないＲＥ位置に対し、該当ＲＥ個所を空けて置くものでなく、転送されるＣＲＳが転送されるアンテナポートを介してＣＲＳを追加的に転送することに使用することができる。
【０２４５】
この際、前記の仮定は既存ＰＤＣＣＨが転送されないＯＦＤＭシンボル領域のみでなされることができる。または、特徴的に前記の仮定はＭＴＣ機器がＲＲＣシグナルを通じて設定を受けた‘Ｎ−ＥＰＤＣＣＨ（あるいは、Ｍ−ＥＰＤＣＣＨ）の転送が始まるＯＦＤＭシンボル位置’の以後のＯＦＤＭシンボル領域のみでなされることができる。
【０２４６】
（５）第５例示
【０２４７】
他の一方、低い複雑度を有するＭＴＣ機器は高い性能が期待されないことが 一般的であり、カバレッジ拡張を要求するＭＴＣ機器は低いＳＩＮＲ領域で動作できることが期待される。したがって、このようなＭＴＣ機器に４個のアンテナポートを介してＣＲＳを転送し、そして、データ転送を遂行することは無意味でありうる。また、アンテナポート２、３の場合、アンテナポート０、１に比べて参照信号（ＲＳ）の密度が低いため、チャンネル推定性能がよくないことがある。
【０２４８】
したがって、特定セルで使われるＣＲＳアンテナポートの数に関わらず、カバレッジ拡張が必要なＭＴＣ機器（及び／又は、低い複雑度を有するＭＴＣ機器）のためには基地局が２個のアンテナポートのみを使用することができる。即ち、カバレッジ拡張が必要なＭＴＣ機器（及び／又は、低い複雑度を有するＭＴＣ機器）は、ＰＢＣＨのブラインド復号（blind decoding）を通じて判断したＣＲＳポートの数が２より大きい場合、ＭＴＣ機器は２ポートのＣＲＳを通じてＮ−ＰＤＣＣＨ、ＰＤＳＣＨが転送されると仮定し、受信を遂行することができる。
【０２４９】
以下の説明で、セルが２個（４個）のＣＲＳアンテナポートを使用するということは、ＭＴＣ機器がＰＢＣＨのブラインド復号（blind decoding）を通じて判断したＣＲＳアンテナポートの数が２個（４個）ということを意味する。
【０２５０】
この場合、Ｎ−ＥＰＤＣＣＨ（あるいは、Ｍ−ＥＰＤＣＣＨ）の転送のためにノーマル（normal）ＣＰを使用する環境でＭＴＣ機器は先の図１５ｄのようなEREG to RE mappingを使用することができる。この際、Ｎ−ＥＰＤＣＣＨ（あるいは、Ｍ−ＥＰＤＣＣＨ）が転送されるＰＲＢ領域でＣＲＳの転送は次の通りであり得る。
【０２５１】
−セルが４個のＣＲＳアンテナポートを使用する場合、非−ＭＢＳＦＮサブフレームではセル−共通的にＣＲＳが転送されなければならないので、ＭＴＣ機器は既存の４ポートを仮定してＣＲＳが受信されると仮定することができる。即ち、Ｎ−ＥＰＤＣＣＨ（あるいは、Ｍ−ＥＰＤＣＣＨ）が転送される時、ＣＲＳの転送のためにEREG-to-RE mappingで空けて置いたＲＥ個所を通じて既存の４個のポートのＣＲＳが転送されると仮定することができる。一方、ＭＢＳＦＮサブフレームでは既存のＣＲＳが転送されないので、ＭＴＣ機器が使用するＣＲＳアンテナポート０、１のみ転送できる。この場合、既存のＣＲＳアンテナポート０、１が転送されるＲＥ位置を通じてＣＲＳアンテナポート０、１が転送され、アンテナポート２、３を介してＣＲＳが転送されるＲＥ領域でもＣＲＳがアンテナポート０、１を介して転送されると仮定することができる。例えば、アンテナポート２を介してＣＲＳが転送されるＲＥ領域ではアンテナポート０を介してＣＲＳが転送され、アンテナポート３を介してＣＲＳが転送されるＲＥ領域ではアンテナポート１を介してＣＲＳが転送されると仮定することができる。
【０２５２】
−セルが２個のＣＲＳアンテナポートを使用する場合、ＭＢＳＦＮサブフレームと非−ＭＢＳＦＮサブフレーム全てで既存のＣＲＳアンテナポート０、１が転送されるＲＥ位置を通じてＣＲＳアンテナポート０、１が転送され、アンテナポート２、３を介してＣＲＳが転送されるＲＥ領域でもＣＲＳがアンテナポート０、１を介して転送されると仮定することができる。例えば、アンテナポート２を介してＣＲＳが転送されるＲＥ領域ではアンテナポート０を介してＣＲＳが転送され、アンテナポート３を介してＣＲＳが転送されるＲＥ領域ではアンテナポート１を介してＣＲＳが転送されると仮定することができる。
【０２５３】
Ｎ−ＥＰＤＣＣＨ（あるいは、Ｍ−ＥＰＤＣＣＨ）の転送のために特徴的に拡張ＣＰを使用する環境でＭＴＣ機器は、図１５ｅのようなEREG to RE mappingを使用することができる。
【０２５４】
図１５ｅは、ＣＲＳ基盤のＮ−ＥＰＤＣＣＨ（あるいは、Ｍ−ＥＰＤＣＣＨ）でＥＲＥＧのRE mappingに対する第５例示を示す。
【０２５５】
図１５ｅに示されたＥＲＥＧのRE mappingは、拡張（extended）ＣＰ環境でＣＲＳアンテナポート０、１が使用するＲＥリソースを除外したものである。この場合、EREG-to-RE mappingと同一にＲＢ当たり総１６個のＲＥリソースがEREG-to-RE mappingから除外される。この際、Ｎ−ＥＰＤＣＣＨ（あるいは、Ｍ−ＥＰＤＣＣＨ）が転送されるＰＲＢ領域でＣＲＳの転送は、次の通りであり得る。
【０２５６】
−セルが４個のＣＲＳアンテナポートを使用する場合、非−ＭＢＳＦＮサブフレームではセル−共通的にＣＲＳが転送されなければならないので、ＭＴＣ機器は既存の４ポートを仮定してＣＲＳが転送されると仮定することができる。この際、ＣＲＳアンテナポート２、３が転送されるＲＥ領域ではＮ−ＥＰＤＣＣＨ（あるいは、Ｍ−ＥＰＤＣＣＨ）の転送がrate-matching（or puncturing）されると仮定することができる。一方、ＭＢＳＦＮサブフレームではＣＲＳアンテナポート０、１のみが転送されると仮定することができる。
【０２５７】
セルが２個のＣＲＳアンテナポートを使用する場合、ＭＴＣ機器は非−ＭＢＳＦＮサブフレームとＭＢＳＦＮサブフレームで全て２ポート（アンテナポート０、１）を仮定してＣＲＳが転送されると仮定することができる。
【０２５８】
ＩＩＩ−３．ＣＲＳ及び／又はＤＭＲＳ基盤のＮ−ＥＰＤＣＣＨ（あるいは、Ｍ−ＥＰＤＣＣＨ）
【０２５９】
ＣＲＳ及び／又はＤＭＲＳ基盤のＮ−ＥＰＤＣＣＨ（あるいは、Ｍ−ＥＰＤＣＣＨ）の場合、既存ＰＤＣＣＨが転送されるＯＦＤＭシンボル領域、ＤＭＲＳが転送されるＲＥリソース領域及び／又はＣＲＳが転送されるＲＥリソース領域を考慮してＥＲＥＧのRE mappingを遂行することができる。
【０２６０】
Ｎ−ＥＰＤＣＣＨ（あるいは、Ｍ−ＥＰＤＣＣＨ）がＣＲＳ及び／又はＤＭＲＳに基づいて動作する場合、Ｎ−ＥＰＤＣＣＨ（あるいは、Ｍ−ＥＰＤＣＣＨ）のEREG-to-RE mappingはＤＭＲＳとＣＲＳのうち、ｉ）ＤＭＲＳのみを考慮するか、ii）ＣＲＳのみを考慮するか、または、ｉｉ）ＤＭＲＳとＣＲＳを全て考慮して構成できる。
【０２６１】
EREG-to-RE mappingがＤＭＲＳとＣＲＳうち、ＤＭＲＳのみを考慮する場合、既存ＥＰＤＣＣＨでのEREG-to-RE mappingをそのまま使用することができる。
【０２６２】
EREG-to-RE mappingがＤＭＲＳとＣＲＳのうち、ＣＲＳのみを考慮する場合、前記明示されたＣＲＳ基盤のＮ−ＥＰＤＣＣＨ（あるいは、Ｍ−ＥＰＤＣＣＨ）のEREG-to-RE mappingを適用することができる。
【０２６３】
EREG-to-RE mappingがＤＭＲＳとＣＲＳを全て考慮して遂行される場合、ＤＭＲＳの全体または一部ポートの転送ＲＥ位置とＣＲＳの全体または一部ポートの転送ＲＥ位置を考慮してEREG-to-RE mappingを遂行することができる。例えば、全てのアンテナポートを介して転送できるＤＭＲＳのＲＥ位置とアンテナポート０、１を介して転送できるＣＲＳのＲＥ位置を除外したＲＥ位置のみを使用してEREG-to-RE mappingを遂行することができる。または、例えば全てのアンテナポートを介して転送できるＤＭＲＳのＲＥ位置とアンテナポート０、１、２、３を介して転送できるＣＲＳのＲＥ位置を除外したＲＥ位置のみを使用してEREG-to-RE mappingを遂行することができる。
【０２６４】
ＩＶ．Ｎ−ＥＰＤＣＣＨ（あるいは、Ｍ−ＥＰＤＣＣＨ）のためのＳＦＢＣ（Space Frequency Block Code）
【０２６５】
本節では、Ｎ−ＥＰＤＣＣＨ（あるいは、Ｍ−ＥＰＤＣＣＨ）の転送のためにＳＦＢＣ技法を使用することを提案する。
【０２６６】
理解を図るために、既存ＰＤＳＣＨの転送のためのＳＦＢＣについて説明すると、次の通りである。
【０２６７】
２個のアンテナポート、Ｐ∈｛０，１｝を通じての転送に対し、プリコーディング動作のｉ＝０，１，．．．，Ｍapsymb−１の時、出力ｙ（ｉ）＝［ｙ(0)（ｉ）ｙ(1)（ｉ）］Tは、次の通りである。
【０２６８】
【数２】
0006426280.tif 000009
【０２６９】
ここで、Ｍapsymb＝２Ｍlayersymbの時、ｉ＝０，１，．．．，Ｍlayersymb−１である。
【０２７０】
４個のアンテナポート、Ｐ∈｛０，１，２，３｝を通じての転送に対し、プリコーディング動作のｉ＝０，１，．．．，Ｍapsymb−１の時、出力ｙ（ｉ）＝［ｙ(0)（ｉ）ｙ(1)（ｉ）ｙ(2)（ｉ）ｙ(3)（ｉ）］Tは、次の通りである。
【０２７１】
【数３】
0006426280.tif 000010
【０２７２】
【化５】
0006426280.tif 000011
【０２７３】
一方、Ｎ−ＥＰＤＣＣＨ（あるいは、Ｍ−ＥＰＤＣＣＨ）でも前記のような方式によりＳＦＢＣを適用することができる。この際、一つのＥＰＤＣＣＨを構成するＲＥリソースに対し、次のような順にＳＦＢＣを遂行した出力シンボルｙ（ｉ）＝［ｙ(0)（ｉ）ｙ(1)（ｉ）］T，ｉ＝０，１，．．．，Ｍapsymb−１のマッピングを遂行することができる。
【０２７４】
アンテナポートＰ上のリソースエレメント（ｋ、ｌ）に対するマッピングはサブフレームの最初のスロットから始まり、２番目のスロットで終わるインデックスｋ及びインデックスｌの順に遂行できる。
【０２７５】
ＩＶ−１．アンテナポート
【０２７６】
２アンテナポートにＮ−ＥＰＤＣＣＨ（あるいは、Ｍ−ＥＰＤＣＣＨ）を転送する場合、ＤＭＲＳ基盤のＮ−ＥＰＤＣＣＨ（あるいは、Ｍ−ＥＰＤＣＣＨ）、ＣＲＳ及び／又はＤＭＲＳ基盤のＮ−ＥＰＤＣＣＨ（あるいは、Ｍ−ＥＰＤＣＣＨ）に対してＤＭＲＳ及び／又はＮ−ＥＰＤＣＣＨ（あるいは、Ｍ−ＥＰＤＣＣＨ）の転送に使われるアンテナポートは、既存の分散ＥＰＤＣＣＨ転送のために使われるアンテナポートと同一でありうる。
【０２７７】
−アンテナポート１０７、１０９ for ノーマルＣＰ
【０２７８】
−アンテナポート１０７、１０８ for 拡張ＣＰ
【０２７９】
または、２アンテナポートにＮ−ＥＰＤＣＣＨ（あるいは、Ｍ−ＥＰＤＣＣＨ）を転送する場合、ＤＭＲＳ基盤のＮ−ＥＰＤＣＣＨ（あるいは、Ｍ−ＥＰＤＣＣＨ）、ＣＲＳ及び／又はＤＭＲＳ基盤のＮ−ＥＰＤＣＣＨ（あるいは、Ｍ−ＥＰＤＣＣＨ）に対してＤＭＲＳ及び／又はＮ−ＥＰＤＣＣＨ（あるいは、Ｍ−ＥＰＤＣＣＨ）の転送に使われるアンテナポートは、既存の分散ＥＰＤＣＣＨ転送のために使われるアンテナポートと次のように異なることがある。
【０２８０】
−アンテナポート０、１ for ノーマルＣＰ
【０２８１】
−アンテナポート０、１ for 拡張ＣＰ
【０２８２】
２アンテナポートにＮ−ＥＰＤＣＣＨ（あるいは、Ｍ−ＥＰＤＣＣＨ）を転送する場合、ＣＲＳ基盤のＮ−ＥＰＤＣＣＨ（あるいは、Ｍ−ＥＰＤＣＣＨ）に対してＣＲＳ及び／又はＮ−ＥＰＤＣＣＨ（あるいは、Ｍ−ＥＰＤＣＣＨ）の転送に使われるアンテナポートは、次の通りであり得る。
【０２８３】
−アンテナポート０、１ for ノーマルＣＰ
【０２８４】
−アンテナポート０、１ for 拡張ＣＰ
【０２８５】
４アンテナポートにＮ−ＥＰＤＣＣＨ（あるいは、Ｍ−ＥＰＤＣＣＨ）を転送する場合、ＤＭＲＳ基盤のＮ−ＥＰＤＣＣＨ（あるいは、Ｍ−ＥＰＤＣＣＨ）、ＣＲＳ及び／又はＤＭＲＳ基盤のＮ−ＥＰＤＣＣＨ（あるいは、Ｍ−ＥＰＤＣＣＨ）に対してＣＲＳ及び／又はＮ−ＥＰＤＣＣＨ（あるいは、Ｍ−ＥＰＤＣＣＨ）の転送に使われるアンテナポートは、次の通りであり得る。
【０２８６】
−アンテナポート１０７、１０８、１０９、１１０ for ノーマルＣＰ
【０２８７】
または４アンテナポートにＮ−ＥＰＤＣＣＨ（あるいは、Ｍ−ＥＰＤＣＣＨ）を転送する場合、ＤＭＲＳ基盤のＮ−ＥＰＤＣＣＨ（あるいは、Ｍ−ＥＰＤＣＣＨ）、ＣＲＳ及び／又はＤＭＲＳ基盤のＮ−ＥＰＤＣＣＨ（あるいは、Ｍ−ＥＰＤＣＣＨ）に対してＤＭＲＳ及び／又はＮ−ＥＰＤＣＣＨ（あるいは、Ｍ−ＥＰＤＣＣＨ）の転送に使われるアンテナポートは、既存の分散ＥＰＤＣＣＨ転送のために使われるアンテナポートと次のように異なることがある。
【０２８８】
−アンテナポート０、１、２、３ for ノーマルＣＰ
【０２８９】
４アンテナポートにＮ−ＥＰＤＣＣＨ（あるいは、Ｍ−ＥＰＤＣＣＨ）を転送する場合、ＣＲＳ基盤のＮ−ＥＰＤＣＣＨ（あるいは、Ｍ−ＥＰＤＣＣＨ）に対してＣＲＳ及び／又はＮ−ＥＰＤＣＣＨ（あるいは、Ｍ−ＥＰＤＣＣＨ）の転送に使われるアンテナポートは、次の通りであり得る。
【０２９０】
−アンテナポート０、１、２、３ for ノーマルＣＰ
【０２９１】
ＩＶ−２．ＣＳＩ−ＲＳ転送を考慮する
【０２９２】
Ｎ−ＥＰＤＣＣＨ（あるいは、Ｍ−ＥＰＤＣＣＨ）をＳＦＢＣを使用して転送すれば、既存ＰＤＣＣＨにＳＦＢＣを適用した場合とは異なり、Ｎ−ＥＰＤＣＣＨ（あるいは、Ｍ−ＥＰＤＣＣＨ）の転送リソース領域を通じてＣＳＩ−ＲＳ（例えば、ＺＰ ＣＳＩ−ＲＳ、ＮＺＰ ＣＳＩ−ＲＳ）が転送できる。
【０２９３】
図１６ａ及び図１６ｂは、２個のアンテナを使用するＳＦＢＣの一例を示す。
【０２９４】
図１６ａ及び図１６ｂに示すように、２個のアンテナポートを使用してＳＦＢＣを適用すれば、シンボルＳ（ｉ）とＳ（ｉ＋１）が同一なＯＦＤＭシンボル内で転送され、Ｓ（ｉ）は副搬送波ｘと副搬送波ｘ＋ａで各々アンテナポートｙとアンテナポートｙ＋ｂを介して転送され、Ｓ（ｉ＋１）は副搬送波ｘと副搬送波ｘ＋ａで各々アンテナポートｙ＋ｂとアンテナポートｙを通じて転送できる。この際、Ｓ（ｉ）とＳ（ｉ＋１）を一つのＳＦＢＣ対（pair）と呼ぶことができる。この場合、ＣＳＩ−ＲＳが転送されるＲＥ位置でＮ−ＥＰＤＣＣＨ（あるいは、Ｍ−ＥＰＤＣＣＨ）をrate-matchingして転送するようになって、一つのＳＦＢＣ対が転送される副搬送波（副搬送波ｘと副搬送波ｘ＋ａ）間の間隔であるａの値が２より大きくなれば、副搬送波ｘと副搬送波ｘ＋ａ間のチャンネル変化が大きくなって、ＳＦＢＣの性能が減少する問題が発生できる。
【０２９５】
したがって、このような性能減少問題を防止するために、一つのＳＦＢＣ対が転送される副搬送波間の間隔が２より大きい場合、以下のように動作することを提案する。
【０２９６】
第１方案として、副搬送波ｘでＮ−ＥＰＤＣＣＨ（あるいは、Ｍ−ＥＰＤＣＣＨ）の転送をrate-matchingする。この際、rate-matchingしたＲＥ位置でＮ−ＥＰＤＣＣＨ（あるいは、Ｍ−ＥＰＤＣＣＨ）は転送されない。この場合、該当ＳＦＢＣ対は副搬送波ｘ＋ａまたは副搬送波ｘ＋ａの以後、Ｎ−ＥＰＤＣＣＨ（あるいは、Ｍ−ＥＰＤＣＣＨ）を転送可能な副搬送波のうち、最初の副搬送波で転送が始まることができる。
【０２９７】
第２方案として、副搬送波ｘとｘ＋ａで全てＮ−ＥＰＤＣＣＨ（あるいは、Ｍ−ＥＰＤＣＣＨ）の転送をrate-matchingする。この際、rate-matchingしたＲＥ位置でＮ−ＥＰＤＣＣＨ（あるいは、Ｍ−ＥＰＤＣＣＨ）は転送されない。この場合、該当ＳＦＢＣは副搬送波ｘ＋ａ＋１または副搬送波ｘ＋ａ＋１の以後、Ｎ−ＥＰＤＣＣＨ（あるいは、Ｍ−ＥＰＤＣＣＨ）を転送可能な副搬送波のうち、最初の副搬送波を通じて転送が始まることができる。
【０２９８】
第３方案として、副搬送波ｘではＮ−ＥＰＤＣＣＨ（あるいは、Ｍ−ＥＰＤＣＣＨ）を転送し、副搬送波ｘ＋ａでは該当ＳＦＢＣ対の転送を放棄（dropping）する。この場合、副搬送波ｘ＋ａでは次のＳＦＢＣ対の転送が始まることができる。
【０２９９】
一方、ＣＳＩ−ＲＳの転送を考慮すれば、ＯＦＤＭシンボル内のＮ−ＥＰＤＣＣＨ（あるいは、Ｍ−ＥＰＤＣＣＨ）の転送可能副搬送波の個数が奇数個であるので、一つのＳＦＢＣ対が同一なＯＦＤＭシンボル内で完全に転送できない場合が発生することがある。または、前記一つのＳＦＢＣ対が転送される副搬送波間の間隔が２より大きい場合の動作を遂行したら、ＯＦＤＭシンボル内の副搬送波（ＲＥ）個数が足りないで、一つのＳＦＢＣ対が同一なＯＦＤＭシンボル内で完全に転送できない場合が発生することがある。このような場合は一つのＳＦＢＣ対が転送される副搬送波の位置を副搬送波ｘと副搬送波ｘ＋ａとする時、副搬送波ｘのみが存在し、副搬送波ｘ＋ａが存在しない場合となる。このような場合、次のように動作することを提案する。
【０３００】
第１方案として、副搬送波ｘでＮ−ＥＰＤＣＣＨ（あるいは、Ｍ−ＥＰＤＣＣＨ）の転送をrate-matchingする。この場合、該当ＳＦＢＣ対は次のＯＦＤＭシンボルが存在すれば、次のＯＦＤＭシンボルを通じて転送できる。
【０３０１】
第２方案として、副搬送波ｘではＮ−ＥＰＤＣＣＨ（あるいは、Ｍ−ＥＰＤＣＣＨ）を転送し、ＳＦＢＣ対の残りの転送は放棄（dropping）する。この際、次のＯＦＤＭシンボルが存在すれば、次のＯＦＤＭシンボルでは次のＳＦＢＣ対の転送が始まることができる。
【０３０２】
第３方案として、該当ＯＦＤＭシンボルの全体でＮ−ＥＰＤＣＣＨ（あるいは、Ｍ−ＥＰＤＣＣＨ）の転送をrate-matchingする。
【０３０３】
ＩＶ−３．ECCE to EREG mapping
【０３０４】
前述したように、Ｎ−ＥＰＤＣＣＨ（あるいは、Ｍ−ＥＰＤＣＣＨ）にＳＦＢＣを適用するためには一つのＳＦＢＣ対が転送されるＲＥ位置が最大限近接するように位置することが好ましい。これを考慮する時、現在一つのＥＣＣＥを構成するＥＲＥＧは連続的なインデックスを有しないように構成されたため、ＥＣＣＥを構成するＥＲＥＧのＲＥ位置は互いに連続的な副搬送波位置を有せず、分散された副搬送波位置を有するようになる。
【０３０５】
図１７ａ及び図１７ｂは、ＳＦＢＣの一例を示す。
【０３０６】
ローカル転送のマッピングで集合水準（aggregation level：ＡＬ）が１の場合、図１７ａに示すように、一つのＥＰＤＣＣＨ候補（candidate）を構成するＲＥの副搬送波位置が連続的に位置しなくなる。しかしながら、集合水準（ＡＬ）が２以上の場合、図１７ｂに示すように、少なくとも２個のＲＥが連続的な副搬送波に位置するようになる。
【０３０７】
したがって、Ｎ−ＥＰＤＣＣＨ（あるいは、Ｍ−ＥＰＤＣＣＨ）をＳＦＢＣ技法により転送するために、ローカル転送のマッピングのみを適用（即ち、分散転送のマッピングを使用せず）することが提案される。また、集合水準（ＡＬ）が１の場合を除外することを提案する。特に、ＥＰＤＣＣＨ候補を構成するＲＥの位置をより連続的に位置するようにするために、集合水準（ＡＬ）が４以上になるように制限することもできる。
【０３０８】
また、一つのＥＰＤＣＣＨ候補を構成するＲＥの副搬送波の位置が連続的に位置するようにするために、Ｎ−ＥＰＤＣＣＨ（あるいは、Ｍ−ＥＰＤＣＣＨ）にＳＦＢＣを適用する場合、一つのＥＣＣＥを構成するＥＲＥＧが連続的なインデックスを有するようにすることを提案する。即ち、例えば次のようなECCE to EREG mappingを適用することを提案する。
【０３０９】
サブフレームｉでＥＰＤＣＣＨセットｓm内でＥＰＤＣＣＨの転送のために利用可能なＥＣＣＥは０からＮＥＣＣＥ、ｍ、ｉ−１までの番号が与えられる。ＥＣＣＥ番号は、次の通りである。
【０３１０】
【化６】
0006426280.tif 000012
【０３１１】
ここで、ｊ＝０，１，．．．，ＮEREGECCE−１であり、ＮEREGECCEはＥＣＣＥ当たりＥＲＥＧの個数である。そして、ＮECCERB＝１６／ＮEREGECCEはリソースブロックの対当たりＥＣＣＥの個数である。
【０３１２】
【化７】
0006426280.tif 000013
【０３１３】
Ｖ．カバレッジ拡張のための参照信号（ＲＳ）の転送
【０３１４】
カバレッジ拡張を要求するＭＴＣ機器の場合、非常に低いＳＮＲ領域での動作のためにチャンネル推定性能を向上させることが重要である。このために、Ｎ−ＥＰＤＣＣＨ（あるいは、Ｍ−ＥＰＤＣＣＨ）の復調のために、一部周波数領域を通じて転送されるＤＭＲＳの転送は、次の通りであり得る。この場合、本節ではＤＭＲＳを例として説明するが、以下の内容はＭＢＳＦＮサブフレームで転送されるnarrow-CRSのようにＮ−ＥＰＤＣＣＨ（あるいは、Ｍ−ＥＰＤＣＣＨ）の復調のために一部周波数領域を通じて転送されるＲＳに全て適用できる。
【０３１５】
第１方案によれば、実際ＭＴＣ機器にＮ−ＥＰＤＣＣＨ（あるいは、Ｍ−ＥＰＤＣＣＨ）が転送されるＰＲＢ領域を通じてＤＭＲＳが転送できる。この場合、Ｎ−ＥＰＤＣＣＨ（あるいは、Ｍ−ＥＰＤＣＣＨ）が反復（repetition）されて、多重（multiple）サブフレーム上に転送される間、Ｎ−ＥＰＤＣＣＨ（あるいは、Ｍ−ＥＰＤＣＣＨ）が転送されるＰＲＢ位置が変更されれば、ＤＭＲＳが転送されるＰＲＢ領域の位置も共に変更される。このような場合、ＭＴＣ機器の移動性が少ない環境でチャンネル推定性能を高めることができる技法である交差（cross）−サブフレームチャンネル推定を遂行することができない。したがって、交差（cross）−サブフレームチャンネル推定の遂行のためには、ｉ）反復（repetition）の間、Ｎ−ＥＰＤＣＣＨ（あるいは、Ｍ−ＥＰＤＣＣＨ）が同一な集合水準（aggregation level）に転送され、ｉｉ）反復の間、Ｎ−ＥＰＤＣＣＨ（あるいは、Ｍ−ＥＰＤＣＣＨ）が同一なＮ−ＥＰＤＣＣＨ（あるいは、Ｍ−ＥＰＤＣＣＨ）候補を通じて転送され、ｉｉｉ）一つのＮ−ＥＰＤＣＣＨ（あるいは、Ｍ−ＥＰＤＣＣＨ）候補を構成するＥＣＣＥインデックスが前記反復の間維持されるか、または一定時間区間の間維持できなければならない。
【０３１６】
第２方案によれば、ＤＭＲＳは常にコスト低減されたＭＴＣ機器が動作する縮小された帯域領域（例えば、６個のＰＲＢ領域）を通じて転送できる。即ち、ＭＴＣ機器の立場では自身が受信することができる６個のＰＲＢの全領域を通じてＤＭＲＳが転送されると仮定することができる。この場合、先の第１方案に比べて一つのサブフレーム内で転送されるＤＭＲＳのリソース量が高まるため、サブフレーム内でのチャンネル推定性能が向上されることができ、交差（cross）−サブフレームチャンネル推定やはり遂行できるようになる。特に、ＤＭＲＳはＭＴＣ機器に実際にＥＰＤＣＣＨが転送される場合のみに転送できる。
【０３１７】
第３方案によれば、ＤＭＲＳは常にＮ−ＥＰＤＣＣＨ（あるいは、Ｍ−ＥＰＤＣＣＨ）−ＰＲＢ−setを構成するＰＲＢ領域の全ＰＲＢ領域を通じて転送できる。例えば、Ｎ−ＥＰＤＣＣＨ（あるいは、Ｍ−ＥＰＤＣＣＨ）−ＰＲＢ−setが４個のＰＲＢで構成されていれば、該当４ＰＲＢを通じてＤＭＲＳが転送できる。この際、ＤＭＲＳはＭＴＣ機器に実際にＥＰＤＣＣＨが転送される場合のみに転送できる。この場合、実際ＥＰＤＣＣＨは１ＰＲＢ領域内のみで転送されてもＤＭＲＳはより広いＰＲＢ領域を通じて転送されるため、サブフレーム内でのチャンネル推定性能が向上されることができ、交差−サブフレームチャンネル推定やはり遂行できるようになる。
【０３１８】
VＩ．Ｎ−ＥＰＤＣＣＨ（Ｍ−ＥＰＤＣＣＨ）上のＣＳＳ（cell-specific search space）
【０３１９】
ＭＴＣ機器がセルのシステム帯域全体でない縮小された帯域幅を通じて動作する場合、セル−共通的なチャンネル（例えば、ＰＳＳ／ＳＳＳ、ＰＢＣＨ）、またはデータ（例えば、ＳＩＢ）は、全て共通的な副帯域リソース領域を通じて転送されなければならない。即ち、例えばＭＴＣ機器がシステム帯域幅に関わらず、６個のＰＲＢリソースを通じて動作するとする時、ＭＴＣ機器−特徴的なチャンネルはＭＴＣ機器毎に異なる６個のＰＲＢ領域を通じて転送できるが、セル−共通的なチャンネル（例えば、ＰＳＳ／ＳＳＳ、ＰＢＣＨ）、またはデータ（例えば、ＳＩＢ）は、セルのシステム帯域幅のうち、中間の６個のＰＲＢ領域を通じて転送できる。即ち、ＭＴＣ機器がＣＳＳモニタリングを遂行するリソース領域は、セル共通的な副帯域リソース領域（例えば、セルのシステム帯域幅のうち、中間の６個の６ＰＲＢ）を通じて転送されなければならない。
【０３２０】
ＭＴＣ機器のためにＰＤＣＣＨを使用せず、ＥＰＤＣＣＨまたは変形された形態のＥＰＤＣＣＨが使われる場合、ＳＩＢのようなセル−共通的なＰＤＳＣＨまたＥＰＤＣＣＨを介してスケジューリングできる。この場合、ＭＴＣ機器はセルに対する初期接続ステップでＳＩＢを読み取る前にＥＰＤＣＣＨの転送と関連した設定を得ることができない。したがって、ＥＰＤＣＣＨのＣＳＳと関連した情報を上位階層シグナルを受けなくてもＭＴＣ機器が知らなければならない。
【０３２１】
これに対する方案を説明すると、次の通りである。
【０３２２】
（１）ＣＳＳモニタリングのための副帯域
【０３２３】
ＭＴＣ機器はセルのシステム帯域幅のうち、中間の６ＰＲＢリソースを通じてＣＳＳモニタリングを試みることができる。
【０３２４】
（２）ＣＳＳモニタリングのためのサブフレーム
【０３２５】
ＭＴＣ機器がＥＰＤＣＣＨのＣＳＳをモニタリングするサブフレームリソースが予め定義できる。これは、例えばサブフレーム周期、区間、そしてオフセットの形態に定義できる。
【０３２６】
（３）ＣＳＳモニタリングのためのＯＦＤＭ開始シンボル
【０３２７】
ＥＰＤＣＣＨの転送が始まるＯＦＤＭシンボルの位置を知るために、ＭＴＣ機器はセルのシステム帯域幅でＰＤＣＣＨの転送のために使用可能な最大ＯＦＤＭシンボルの個数がＭの場合、一つのサブフレームがＯＦＤＭシンボル＃０〜＃１３で構成されたとする時、ＯＦＤＭシンボル＃ＭからＥＰＤＣＣＨの転送が始まると仮定することができる。
【０３２８】
（４）ＲＢ割り当て
【０３２９】
ＭＴＣ機器はＣＳＳのモニタリングのために、一つのEPDCCH-PRB-setのみをモニタリングすることができる。この際、該当EPDCCH-PRB-setのＰＲＢ位置は予め定義されていることができる。例えば、ＭＴＣ機器が受信する６ＰＲＢのリソース内で特定１ＲＢ（例えば、ＰＲＢ＃０）に予め定義できる。
【０３３０】
（５）ＥＰＤＣＣＨ転送タイプ
【０３３１】
ＣＳＳのモニタリングのためのEPDCCH-PRB-set内でのＥＰＤＣＣＨ転送タイプ（例えば、分散転送またはローカル転送）は、予め定義されていることができる。ＭＴＣ機器は常にＣＳＳのモニタリングのためのＥＰＤＣＣＨは分散転送の形態と仮定することができる。
【０３３２】
（６）ＤＭＲＳスクランブリングシーケンスの初期パラメータ
【０３３３】
ＣＳＳのモニタリングのためのＥＰＤＣＣＨに対し、ＥＰＤＣＣＨ及びＥＰＤＣＣＨと関連したＤＭＲＳの転送のためのスクランブリングシーケンスの初期パラメータは特定値に固定されていることができる。特徴的にスクランブリングシーケンスの初期パラメータの値はセルの物理セルＩＤ（physical cell ID）と同一でありうる。
【０３３４】
一方、ＥＰＤＣＣＨのＣＳＳ領域がセルの共通的な副帯域リソース領域（例えば、中間の６個のＰＲＢ）でなく、図１３ｂに示すように、複数個の副帯域領域の各々にＥＰＤＣＣＨ ＣＳＳ領域が存在できる。したがって、ＥＰＤＣＣＨ ＣＳＳ領域で転送されるＥＰＤＣＣＨ（例えば、ＳＩ−ＲＮＴＩ、Ｒ−ＲＮＴＩ、及び／又はＰ−ＲＮＴＩにスクランブリングされたＥＰＤＣＣＨ）は、各副帯域領域（全ての副帯域領域）を通じて転送できる。したがって、ＭＴＣ機器はＥＰＤＣＣＨ ＣＳＳをモニタリングするために、自身が動作する副帯域領域からセル共通的な副帯域領域に周波数（副帯域）をスイッチングせず、自身が動作する副帯域領域でＥＰＤＣＣＨ ＣＳＳのモニタリングを遂行することができる。
【０３３５】
VＩＩ．サブフレーム＃０（そして、サブフレーム＃５）上でのＥＰＤＣＣＨ
【０３３６】
ＭＴＣ機器のためにＰＤＣＣＨを使用せず、ＥＰＤＣＣＨまたは変形された形態のＥＰＤＣＣＨが使われる場合、セルのシステム帯域の全体でない一部帯域（例えば、６個のＰＲＢ）で動作するＭＴＣ機器がＥＰＤＣＣＨを中間の６個のＰＲＢ領域で受信する場合、サブフレーム＃０では既存ＰＢＣＨ及び既存ＰＳＳ／ＳＳＳによってＥＰＤＣＣＨを転送することができるリソース領域が非常に限定されるようになる。また、サブフレーム＃０ではＰＳＳ／ＳＳＳとのリソース衝突によって中間の６ＰＲＢ領域にＤＭＲＳが転送されない。したがって、現在のＥＰＤＣＣＨがサブフレーム＃０の中間の６ＰＲＢ領域で転送が正常に遂行できないことがある。また、サブフレーム＃５で、やはり既存ＰＳＳ／ＳＳＳによってＥＰＤＣＣＨを転送することができるリソース領域が限定されるようになり、ＰＳＳ／ＳＳＳとのリソース衝突によって中間の６ＰＲＢ領域にＤＭＲＳが転送されない。したがって、現在のＥＰＤＣＣＨがサブフレーム＃５の中間の６ＰＲＢ領域で転送が正常に遂行できないことがある。
【０３３７】
したがって、サブフレーム＃０（そして、＃５）の中間の６ＰＲＢ領域ではＥＰＤＣＣＨが転送されないことが好ましいことがある。
【０３３８】
したがって、本節では中間の６ＰＲＢ領域で、サブフレーム＃０（そして、＃５）を通じて転送されるべきＤＣＩが以前のサブフレームを通じて転送されることを提案する。これに対し、図面を参照して説明する。
【０３３９】
図１８は、サブフレーム＃０（そして、サブフレーム＃５）上で転送されるべきＤＣＩを以前のサブフレームで転送する例を示す。
【０３４０】
ダウンリンクグラント（downlink grant）を転送するために、サブフレーム＃nでＥＰＤＣＣＨを介して転送されたダウンリンクグラントがサブフレーム＃n＋１で転送されるＰＤＳＣＨをスケジューリングする交差−サブフレームスケジューリングが適用される場合、図１８に示すように、サブフレーム＃１（サブフレーム＃６）で転送されるＰＤＳＣＨをスケジューリングするダウンリンクグラントは元のサブフレーム＃０（サブフレーム＃５）を通じて転送される代わり、その以前のサブフレームであるサブフレーム＃９（＃−１）（サブフレーム＃４）を通じて転送できる。この場合、ダウンリンクグラント内の特定フィールド、例えば、DAＩフィールドを通じて該当ダウンリンクグラントが如何なるサブフレームを通じて転送されるＰＤＳＣＨをスケジューリングするためであるかに対する情報を指示してくれることができる。
【０３４１】
ダウンリンクグラントを転送するために、交差−サブフレームスケジューリングが適用されない場合、サブフレーム＃０（サブフレーム＃５）で転送されるＰＤＳＣＨをスケジューリングするダウンリンクグラントは、元のサブフレーム＃０（サブフレーム＃５）を通じて転送される代わり、その以前のサブフレームであるサブフレーム＃９（＃−１）（サブフレーム＃４）を通じて転送できる。この場合、ダウンリンクグラント内の特定フィールド、例えば、DAＩ（Downlink Assignment Index）フィールドを通じて該当ダウンリンクグラントが如何なるサブフレームを通じて転送されるＰＤＳＣＨをスケジューリングするためであるかに対する情報を指示してくれることができる。
【０３４２】
アップリンクグラントを転送する場合にも同様に、サブフレーム＃４（サブフレーム＃９）で転送されるＰＵＳＣＨをスケジューリングするアップリンクグラントは、元のサブフレーム＃０（サブフレーム＃５）を通じて転送される代わり、その以前のサブフレームであるサブフレーム＃９（＃−１）（サブフレーム＃４）を通じて転送できる。この場合、アップリンクグラント内の特定フィールド、例えば、ＤＡＩフィールドを通じて該当アップリンクグラントが如何なるサブフレームを通じて転送されるＰＵＳＣＨをスケジューリングするためであるかに対する情報を指示してくれることができる。
【０３４３】
一方、カバレッジ拡張のためにＥＰＤＣＣＨが多数のサブフレーム上で反復して転送できる。この際、サブフレーム＃０（そして、サブフレーム＃５）の中間の６個のＰＲＢ領域でＥＰＤＣＣＨが転送されなければならない場合、ＭＴＣ機器は該当サブフレームでＥＰＤＣＣＨ転送が遂行されないと仮定し、該当サブフレームをＥＰＤＣＣＨが反復して転送されるサブフレームの束から除外することができる。
【０３４４】
今まで説明した内容は、Ｎ−ＥＰＤＣＣＨだけでなく、他のチャンネル（例えば、ＰＢＣＨ、ＰＤＳＣＨ）の転送のためにも適用できる。
【０３４５】
今まで説明した、本発明の実施形態は、多様な手段を通じて具現できる。例えば、本発明の実施形態は、ハードウェア、ファームウエア（firmware）、ソフトウェア、またはそれらの結合などにより具現できる。具体的には図面を参照して説明する。
【０３４６】
図１９は、本明細書の開示が具現される無線通信システムを示すブロック図である。
【０３４７】
基地局２００は、プロセッサ（processor）２０１、メモリ（memory）２０２、及びＲＦ部（ＲＦ（radio frequency）unit）２０３を含む。メモリ２０２はプロセッサ２１０と連結されて、プロセッサ２１０を駆動するための多様な情報を格納する。ＲＦ部２０３はプロセッサ２１０と連結されて、無線信号を送信及び／又は受信する。プロセッサ２１０は、提案された機能、過程、及び／又は方法を具現する。前述した実施例で基地局の動作はプロセッサ２１０により具現できる。
【０３４８】
ＭＴＣ機器１００は、プロセッサ１０１、メモリ１０２、及びＲＦ部１０３を含む。メモリ１０２はプロセッサ１０１と連結されて、プロセッサ１０１を駆動するための多様な情報を格納する。ＲＦ部１０３はプロセッサ１０１と連結されて、無線信号を送信及び／又は受信する。プロセッサ１０１は、提案された機能、過程、及び／又は方法を具現する。
【０３４９】
プロセッサは、ＡＳＩＣ（application-specific integrated circuit）、他のチップセット、論理回路及び／又はデータ処理装置を含むことができる。メモリは、ＲＯＭ（read-only memory）、ＲＡM（ そして、rom access memory）、フラッシュメモリ、メモリカード、格納媒体、及び／又は他の格納装置を含むことができる。ＲＦ部は、無線信号を処理するためのベースバンド回路を含むことができる。実施形態がソフトウェアで具現される時、前述した技法は前述した機能を遂行するモジュール（過程、機能など）で具現できる。モジュールはメモリに格納され、プロセッサにより実行できる。メモリはプロセッサの内部または外部にあることができ、よく知られた多様な手段によりプロセッサと連結できる。
【０３５０】
前述した例示的なシステムにおいて、方法は一連のステップまたはブロックで順序図に基づいて説明されているが、本発明はステップの順序に限定されるものではなく、あるステップは前述したことと異なるステップと異なる順に、または同時に発生することができる。また、当業者であれば、順序図に示したステップが排他的でなく、異なるステップが含まれるか、または順序図の一つまたはその以上のステップが本発明の範囲に影響を及ぼさないで削除できることを理解することができる。
【図１】
0006426280.tif 000014
【図２】
0006426280.tif 000015
【図３】
0006426280.tif 000016
【図４】
0006426280.tif 000017
【図５】
0006426280.tif 000018
【図６】
0006426280.tif 000019
【図７】
0006426280.tif 000020
【図８】
0006426280.tif 000021
【図９】
0006426280.tif 000022
【図１０】
0006426280.tif 000023
【図１１Ａ】
0006426280.tif 000024
【図１１Ｂ】
0006426280.tif 000025
【図１２Ａ】
0006426280.tif 000026
【図１２Ｂ】
0006426280.tif 000027
【図１３Ａ】
0006426280.tif 000028
【図１３Ｂ】
0006426280.tif 000029
【図１４】
0006426280.tif 000030
【図１５Ａ】
0006426280.tif 000031
【図１５Ｂ】
0006426280.tif 000032
【図１５Ｃ】
0006426280.tif 000033
【図１５Ｄ】
0006426280.tif 000034
【図１５Ｅ】
0006426280.tif 000035
【図１６Ａ】
0006426280.tif 000036
【図１６Ｂ】
0006426280.tif 000037
【図１７ａ】
0006426280.tif 000038
【図１７ｂ】
0006426280.tif 000039
【図１８】
0006426280.tif 000040
【図１９】
0006426280.tif 000041